(57)【要約】  電力の損失を低減することが可能な太陽電池モジュール、太陽電池モジュール接合体及び太陽光発電装置を提供する。  外部から入射した光を集光する集光板と、前記集光板に設置され、前記集光板により集光された光を受光する複数の太陽電池素子と、を備え、前記複数の太陽電池素子の各々が、正端子と負端子とを備え、前記複数の太陽電池素子が、接続配線を介して互いに直列接続された第１の太陽電池素子および第２の太陽電池素子と、前記第１の太陽電池素子および前記第２の太陽電池素子と直列接続されていない第３の太陽電池素子と、を含み、前記第１の太陽電池素子と前記第２の太陽電池素子とにより第１の電流経路が構成され、前記第３の太陽電池素子により第２の電流経路が構成されている。
2014024816.tif 000002
【特許請求の範囲】
【請求項１】
外部から入射した光を集光する集光板と、
前記集光板に設置され、前記集光板により集光された光を受光する複数の太陽電池素子と、を備え、
前記複数の太陽電池素子の各々が、正端子と負端子とを備え、
前記複数の太陽電池素子が、接続配線を介して互いに直列接続された第１の太陽電池素子および第２の太陽電池素子と、前記第１の太陽電池素子および前記第２の太陽電池素子と直列接続されていない第３の太陽電池素子と、を含み、
前記第１の太陽電池素子と前記第２の太陽電池素子とにより第１の電流経路が構成され、前記第３の太陽電池素子により第２の電流経路が構成されていることを特徴とする太陽電池モジュール。
【請求項２】
接続配線を介して前記第３の太陽電池素子と直列接続され、前記第１の太陽電池素子および前記第２の太陽電池素子と直列接続されていない第４の太陽電池素子を備え、
前記第３の太陽電池素子と前記第４の太陽電池素子とにより前記第２の電流経路が構成されていることを特徴とする請求項１に記載の太陽電池モジュール。
【請求項３】
前記複数の太陽電池素子が、前記集光板の縁部に沿って配置されていることを特徴とする請求項１または２に記載の太陽電池モジュール。
【請求項４】
前記集光板が、前記外部から入射した光を集光して端面から射出し、
前記複数の太陽電池素子が、前記集光板の前記端面に配置されて前記端面から射出された光を受光することを特徴とする請求項３に記載の太陽電池モジュール。
【請求項５】
前記集光板が、前記外部から入射した光を集光して主面から射出し、
前記複数の太陽電池素子が、前記集光板の前記主面に配置されて前記主面から射出された光を受光することを特徴とする請求項３に記載の太陽電池モジュール。
【請求項６】
前記集光板の平面形状が多角形であり、前記太陽電池素子の数が前記多角形の辺の数と等しいことを特徴とする請求項１ないし５のいずれか一項に記載の太陽電池モジュール。
【請求項７】
前記集光板の平面形状が多角形であり、前記太陽電池素子の数が前記多角形の辺の数よりも少ないことを特徴とする請求項１ないし５のいずれか一項に記載の太陽電池モジュール。
【請求項８】
前記太陽電池素子を備えていない前記多角形の辺に対応する前記集光板の端面に、前記集光板の内部を伝播する光を反射させる反射ミラーが設けられたことを特徴とする請求項７に記載の太陽電池モジュール。
【請求項９】
前記反射ミラーの反射面と反対側の面に接続配線が設けられたことを特徴とする請求項８に記載の太陽電池モジュール。
【請求項１０】
外部からの光を受光する複数の太陽電池素子を備えた第１の太陽電池モジュールと、
外部からの光を受光する複数の太陽電池素子を備えた第２の太陽電池モジュールと、を少なくとも備え、
前記第１の太陽電池モジュールの前記複数の太陽電池素子が、接続配線を介して互いに直列接続された第１の太陽電池素子および第２の太陽電池素子と、前記第１の太陽電池素子および前記第２の太陽電池素子と直列接続されていない第３の太陽電池素子と、を含み、
前記第１の太陽電池素子と前記第２の太陽電池素子とにより第１の電流経路が構成され、前記第３の太陽電池素子により第２の電流経路が構成され、
前記第２の太陽電池モジュールの前記複数の太陽電池素子が、接続配線を介して互いに直列接続された第４の太陽電池素子および第５の太陽電池素子と、前記第４の太陽電池素子および前記第５の太陽電池素子と直列接続されていない第６の太陽電池素子と、を含み、
前記第４の太陽電池素子と前記第５の太陽電池素子とにより第３の電流経路が構成され、前記第６の太陽電池素子により第４の電流経路が構成され、
前記第１の太陽電池モジュールの前記第１の電流経路と前記第２の太陽電池モジュールの前記第３の電流経路とが接続配線を介して直列接続され、
前記第１の太陽電池モジュールの前記第２の電流経路と前記第２の太陽電池モジュールの前記第４の電流経路とが接続配線を介して直列接続されていることを特徴とする太陽電池モジュール接合体。
【請求項１１】
前記第１の太陽電池モジュールが、外部から入射した光を集光する第１の集光板を備え、
前記第１の太陽電池モジュールの前記複数の太陽電池素子が、前記第１の集光板に設置され、前記第１の集光板により集光された光を受光することを特徴とする請求項１０に記載の太陽電池モジュール接合体。
【請求項１２】
前記第２の太陽電池モジュールが、外部から入射した光を集光する第２の集光板を備え、
前記第２の太陽電池モジュールの前記複数の太陽電池素子が、前記第２の集光板に設置され、前記第２の集光板により集光された光を受光することを特徴とする請求項１０または１１に記載の太陽電池モジュール接合体。
【請求項１３】
前記第１の太陽電池モジュールの前記第１の電流経路の始端と前記第２の電流経路の終端とが隣り合って配置され、
前記第１の電流経路の始端と前記第２の電流経路の終端とが外部機器接続用端子とされたことを特徴とする請求項１０ないし１２のいずれか一項に記載の太陽電池モジュール接合体。
【請求項１４】
前記第２の太陽電池モジュールの前記第３の電流経路の終端と前記第４の電流経路の始端とが、接続配線を介して直列接続されたことを特徴とする請求項１３に記載の太陽電池モジュール接合体。
【請求項１５】
請求項１３に記載の太陽電池モジュール接合体の前記外部機器接続用端子にパワーコンディショナーが接続されたことを特徴とする太陽光発電装置。
【発明の詳細な説明】
【技術分野】
【０００１】
本発明は、太陽電池モジュール、太陽電池モジュール接合体及び太陽光発電装置に関する。
【背景技術】
【０００２】
集光板の端面に太陽電池素子を設置し、集光板の内部を伝播した光を太陽電池素子に入射させて発電を行う太陽光発電装置として、特許文献１に記載の太陽光エネルギー変換器が知られている。この太陽光エネルギー変換器は、透光性基板内に入射した太陽光によって蛍光体を発光させ、蛍光体から放射された蛍光を透光性基板の端面に設置された太陽電池に伝播させることで発電している。
また、特許文献２には、集光型太陽電池がプレート上に複数配置された集光型太陽電池モジュールが開示されている。プレートには、太陽電池セルに接続される接続部と、太陽電池セル間を接続する配線と、が形成されている。このプレートにより、複数の太陽電池セルが直列に接続される。
【先行技術文献】
【特許文献】
【０００３】
【特許文献１】特開昭５８−４９８６０号公報
【特許文献２】特開２０１１−１３８９７０号公報
【発明の概要】
【発明が解決しようとする課題】
【０００４】
太陽光発電装置によって多くの電力を得る手段としては、複数の太陽電池モジュールを設けることが考えられる。例えば、特許文献２に記載の集光型太陽電池モジュールを複数並べて直列に接続することが考えられる。
しかしながら、特許文献２に記載のプレートを適用すると、一つのプレート内で複数の太陽電池セルのそれぞれが直列に接続される。そのため、隣り合う二つのプレート間で接続端子間の距離が遠く離れてしまう。これにより、接続端子間の接続配線が非常に長くなる。
複数の太陽電池素子により構成される電流経路の終端には、インバータ(直流／交流変換器)等のパワーコンディショナーへの接続端子が配置される。そのため、パワーコンディショナー用接続端子がパワーコンディショナーから遠く離れてしまう。これにより、パワーコンディショナーへの接続配線が非常に長くなる。
このように接続配線が非常に長くなると、配線抵抗が大きくなり、電力の損失が増大するという問題がある。【０００５】
本発明は、上記の課題を解決するためになされたものであって、電力の損失を低減することが可能な太陽電池モジュール、太陽電池モジュール接合体及び太陽光発電装置を提供することを目的とする。
【課題を解決するための手段】
【０００６】
上記の目的を達成するために、本発明は以下の手段を採用した。
（１）すなわち、本発明の一態様における太陽電池モジュールは、外部から入射した光を集光する集光板と、前記集光板に設置され、前記集光板により集光された光を受光する複数の太陽電池素子と、を備え、前記複数の太陽電池素子の各々が、正端子と負端子とを備え、前記複数の太陽電池素子が、接続配線を介して互いに直列接続された第１の太陽電池素子および第２の太陽電池素子と、前記第１の太陽電池素子および前記第２の太陽電池素子と直列接続されていない第３の太陽電池素子と、を含み、前記第１の太陽電池素子と前記第２の太陽電池素子とにより第１の電流経路が構成され、前記第３の太陽電池素子により第２の電流経路が構成されている。【０００７】
（２）上記（１）に記載の太陽電池モジュールでは、接続配線を介して前記第３の太陽電池素子と直列接続され、前記第１の太陽電池素子および前記第２の太陽電池素子と直列接続されていない第４の太陽電池素子を備え、前記第３の太陽電池素子と前記第４の太陽電池素子とにより前記第２の電流経路が構成されていてもよい。【０００８】
（３）上記（１）または（２）に記載の太陽電池モジュールでは、前記複数の太陽電池素子が、前記集光板の縁部に沿って配置されていてもよい。【０００９】
（４）上記（３）に記載の太陽電池モジュールでは、前記集光板が、前記外部から入射した光を集光して端面から射出し、前記複数の太陽電池素子が、前記集光板の前記端面に配置されて前記端面から射出された光を受光してもよい。【００１０】
（５）上記（３）に記載の太陽電池モジュールでは、前記集光板が、前記外部から入射した光を集光して主面から射出し、前記複数の太陽電池素子が、前記集光板の前記主面に配置されて前記主面から射出された光を受光してもよい。【００１１】
（６）上記（１）ないし（５）のいずれか一項に記載の太陽電池モジュールでは、前記集光板の平面形状が多角形であり、前記太陽電池素子の数が前記多角形の辺の数と等しくてもよい。【００１２】
（７）上記（１）ないし（５）のいずれか一項に記載の太陽電池モジュールでは、前記集光板の平面形状が多角形であり、前記太陽電池素子の数が前記多角形の辺の数よりも少なくてもよい。【００１３】
（８）上記（７）に記載の太陽電池モジュールでは、前記太陽電池素子を備えていない前記多角形の辺に対応する前記集光板の端面に、前記集光板の内部を伝播する光を反射させる反射ミラーが設けられていてもよい。【００１４】
（９）上記（８）に記載の太陽電池モジュールでは、前記反射ミラーの反射面と反対側の面に接続配線が設けられていてもよい。【００１５】
（１０）本発明の一態様における太陽電池モジュール接合体は、外部からの光を受光する複数の太陽電池素子を備えた第１の太陽電池モジュールと、外部からの光を受光する複数の太陽電池素子を備えた第２の太陽電池モジュールと、を少なくとも備え、前記第１の太陽電池モジュールの前記複数の太陽電池素子が、接続配線を介して互いに直列接続された第１の太陽電池素子および第２の太陽電池素子と、前記第１の太陽電池素子および前記第２の太陽電池素子と直列接続されていない第３の太陽電池素子と、を含み、前記第１の太陽電池素子と前記第２の太陽電池素子とにより第１の電流経路が構成され、前記第３の太陽電池素子により第２の電流経路が構成され、前記第２の太陽電池モジュールの前記複数の太陽電池素子が、接続配線を介して互いに直列接続された第４の太陽電池素子および第５の太陽電池素子と、前記第４の太陽電池素子および前記第５の太陽電池素子と直列接続されていない第６の太陽電池素子と、を含み、前記第４の太陽電池素子と前記第５の太陽電池素子とにより第３の電流経路が構成され、前記第６の太陽電池素子により第４の電流経路が構成され、前記第１の太陽電池モジュールの前記第１の電流経路と前記第２の太陽電池モジュールの前記第３の電流経路とが接続配線を介して直列接続され、前記第１の太陽電池モジュールの前記第２の電流経路と前記第２の太陽電池モジュールの前記第４の電流経路とが接続配線を介して互いに直列接続されている。【００１６】
（１１）上記（１０）に記載の太陽電池モジュール接合体では、前記第１の太陽電池モジュールが、外部から入射した光を集光する第１の集光板を備え、前記第１の太陽電池モジュールの前記複数の太陽電池素子が、前記第１の集光板に設置され、前記第１の集光板により集光された光を受光してもよい。【００１７】
（１２）上記（１０）または（１１）に記載の太陽電池モジュール接合体では、前記第２の太陽電池モジュールが、外部から入射した光を集光する第２の集光板を備え、前記第２の太陽電池モジュールの前記複数の太陽電池素子が、前記第２の集光板に設置され、前記第２の集光板により集光された光を受光してもよい。【００１８】
（１３）上記（１０）ないし（１２）のいずれか一項に記載の太陽電池モジュール接合体では、前記第１の太陽電池モジュールの前記第１の電流経路の始端と前記第２の電流経路の終端とが隣り合って配置され、前記第１の電流経路の始端と前記第２の電流経路の終端とが外部機器接続用端子とされていてもよい。【００１９】
（１４）上記（１３）に記載の太陽電池モジュール接合体では、前記第２の太陽電池モジュールの前記第３の電流経路の終端と前記第４の電流経路の始端とが、接続配線を介して直列接続されていてもよい。【００２０】
（１５）本発明の一態様における太陽光発電装置は、上記（１３）に記載の太陽電池モジュール接合体の前記外部機器接続用端子にパワーコンディショナーが接続されている。
【発明の効果】
【００２１】
本発明の態様によれば、電力の損失を低減することが可能な太陽電池モジュール、太陽電池モジュール接合体及び太陽光発電装置を提供することができる。
【図面の簡単な説明】
【００２２】
【図１】第１の実施形態の太陽電池モジュールの概略構成を示す斜視図である。
【図２】（Ａ）、（Ｂ）太陽電池モジュールの断面図である。
【図３】太陽電池素子の部分斜視図である。
【図４】太陽電池素子の分解斜視図である。
【図５】太陽電池素子の形状及び大きさの一例を示す図である。
【図６】第１の実施形態の太陽光発電装置の概略構成を示す平面図である。
【図７】比較例の太陽光発電装置の概略構成を示す平面図である。
【図８】第２の実施形態の太陽光発電装置の概略構成を示す平面図である。
【図９】第３の実施形態の太陽光発電装置の概略構成を示す平面図である。
【図１０】第４の実施形態の太陽光発電装置の概略構成を示す平面図である。
【図１１】第５の実施形態の太陽光発電装置の概略構成を示す平面図である。
【図１２】第６の実施形態の太陽光発電装置の概略構成を示す平面図である。
【図１３】第７の実施形態の太陽光発電装置の概略構成を示す平面図である。
【図１４】第８の実施形態の太陽電池モジュールの断面図である。
【図１５】第８の実施形態の太陽光発電装置の概略構成を示す平面図である。
【図１６】第９の実施形態の太陽光発電装置の概略構成を示す平面図である。
【図１７】第１０の実施形態の太陽光発電装置の概略構成を示す平面図である。
【図１８】第１１の実施形態の太陽光発電装置の概略構成を示す平面図である。
【図１９】第１２の実施形態の太陽光発電装置の概略構成を示す平面図である。
【発明を実施するための形態】
【００２３】
［第１の実施形態］
以下、図１〜図７を参照しながら、本発明の第１の実施形態に係る太陽電池モジュール１について説明する。なお、以下の全ての図面においては、図面を見やすくするため、各構成要素の寸法や比率などは適宜異ならせてある。
【００２４】
図１は、第１の実施形態の太陽電池モジュール１の概略構成を示す斜視図である。
なお、図１においては、便宜上、太陽電池素子の端子及び接続配線の図示を省略している。
図１においては、太陽電池モジュール１の構成として、第１の太陽電池モジュール１ａの構成を挙げて説明する。後述する第２の太陽電池モジュール１ｂ及び第３の太陽電池モジュール１ｃの構成は、第１の太陽電池モジュール１ａの構成と同様の構成を有する。
【００２５】
図１に示すように、第１の太陽電池モジュール１ａは、集光板２と、４個の太陽電池素子３と、フレーム４と、を備えている。
【００２６】
集光板２は平面視正方形の板部材である。集光板２は、第１の主面２ｓと、第２の主面２ｆと、第１の端面２ａと、第２の端面２ｂと、第３の端面２ｃと、第４の端面２ｄと、を有している。第１の主面２ｓは、太陽光を入射させる光入射面である。第２の主面２ｆは、第１の主面２ｓとは反対側の面である。第１の端面２ａ、第２の端面２ｂ、第３の端面２ｃ、及び第４の端面２ｄは、集光板２の内部を伝播した光を射出させる光射出面である。
【００２７】
第１の端面２ａは、第２の端面２ｂ及び第４の端面２ｄと隣接し、第３の端面２ｃに対向している。第２の端面２ｂは、第１の端面２ａ及び第３の端面２ｃと隣接し、第４の端面２ｄに対向している。第３の端面２ｃは、第２の端面２ｂ及び第４の端面２ｄと隣接し、第１の端面２ａに対向している。第４の端面２ｄは、第１の端面２ａ及び第３の端面２ｃと隣接し、第２の端面２ｂに対向している。
【００２８】
集光板２は、第１の主面２ｓから外光Ｌを入射させ、内部を伝播させた光を、第１の端面２ａ、第２の端面２ｂ、第３の端面２ｃ、及び第４の端面２ｄから射出させる。なお、集光板２のサイズは、一例として、一辺の長さが４０ｃｍ程度、厚みが５ｍｍ程度である。
【００２９】
図２（Ａ）は、太陽電池モジュール１の断面図である。図２（Ｂ）は、太陽電池モジュール１の要部を拡大した断面図である。
なお、図２（Ａ）、（Ｂ）においては、便宜上、太陽電池素子の端子及び接続配線の図示を省略している。
図２（Ａ）、（Ｂ）においては、太陽電池モジュール１の構成として、第１の太陽電池モジュール１ａの構成を挙げて説明する。後述する第２の太陽電池モジュール１ｂ及び第３の太陽電池モジュール１ｃの構成は、第１の太陽電池モジュール１ａの構成と同様の構成を有する。
図２（Ａ）においては、便宜上、透明接着剤５、接着剤６、緩衝材７、第１の緩衝層８、及び第２の緩衝層９の図示を省略している。
図２（Ｂ）においては、太陽電池素子３の配置構成として、第１の太陽電池素子３ａの配置構成を挙げて説明する。第２の太陽電池素子３ｂ、第３の太陽電池素子３ｃ、及び第４の太陽電池素子３ｄの配置構成は、第１の太陽電池素子３ａの配置構成と同様の構成を有する。
【００３０】
集光板２は、図２（Ａ）に示すように、透明基材２０中に、蛍光体２１を分散させた蛍光集光板である。透明基材２０は、ＰＭＭＡ等のアクリル樹脂、ポリカーボネート樹脂などの透明性の高い有機材料、もしくはガラスなどの透明性の無機材料からなる。本実施形態では、透明基材２０としてＰＭＭＡ樹脂（屈折率１．４９）を用いる。集光板２は、このＰＭＭＡ樹脂中に蛍光体２１を分散させて形成されている。なお、この集光板２の屈折率は、分散させている蛍光体２１の量が少ないため、ＰＭＭＡ樹脂と同程度の１．５０となっている。
【００３１】
蛍光体２１は、紫外光または可視光を吸収して可視光または赤外光を発光し放射する光機能材料である。光機能材料としては、有機蛍光体が挙げられる。
このような有機蛍光体としては、クマリン系色素、ペリレン系色素、フタロシアニン系色素、スチルベン系色素、シアニン系色素、ポリフェニレン系色素，キサンテン系色素，ピリジン系色素、オキサジン系色素、クリセン系色素、チオフラビン系色素、ペリレン系色素、ピレン系色素、アントラセン系色素、アクリドン系色素、アクリジン系色素、フルオレン系色素、ターフェニル系色素、エテン系色素、ブタジエン系色素、ヘキサトリエン系色素、オキサゾール系色素、クマリン系色素、スチルベン系色素、ジ−およびトリフェニルメタン系色素、チアゾール系色素、チアジン系色素、ナフタルイミド系色素、アントラキノン系色素等が好適に使用され、具体的には、３−（２’−ベンゾチアゾリル）−７−ジエチルアミノクマリン（クマリン６）、３−（２’−ベンゾイミダゾリル）−７−Ｎ，Ｎ−ジエチルアミノクマリン（クマリン７）、３−（２’−Ｎ−メチルベンゾイミダゾリル）−７−Ｎ，Ｎ−ジエチルアミノクマリン（クマリン３０）、２，３，５，６−１Ｈ，４Ｈ−テトラヒドロ−８−トリフルオロメチルキノリジン（９，９ａ，１−ｇｈ）クマリン（クマリン１５３）などのクマリン系色素や、クマリン色素系染料であるベーシックイエロー５１や、ソルベントイエロー１１、ソルベントイエロー１１６などのナフタルイミド系色素や、ローダミンＢ、ローダミン６Ｇ、ローダミン３Ｂ、ローダミン１０１、ローダミン１１０、スルホローダミン、ベーシックバイオレット１１、ベーシックレッド２などのローダミン系色素、１−エチル−２−〔４−（ｐ−ジメチルアミノフェニル）−１，３−ブタジエニル〕ピリジニウム−パークロレート（ピリジン１）などのピリジン系色素、さらには、シアニン系色素、あるいはオキサジン系色素などが用いられる。
【００３２】
なお、蛍光体として無機蛍光体を用いることもできる。
さらに、各種染料（直接染料、酸性染料、塩基性染料、分散染料など）も、蛍光性があれば本発明の蛍光体として使用可能である。
【００３３】
本実施形態の場合、集光板２の内部には、１種類の蛍光体２１が分散されている。蛍光体２１は、橙色光を吸収して赤色の蛍光を放射する。本実施形態では、蛍光体２１としてBASF社製LumogenＲ３０５（商品名）を用いる。蛍光体２１は、概ね６００ｎｍ以下の波長の光を吸収する。蛍光体２１の発光スペクトルは、６１０ｎｍにピーク波長を有する。
【００３４】
なお、１種類の蛍光体を用いる場合に限らず、複数種類（２種類もしくは３種類以上）の蛍光体を用いてもよい。
【００３５】
このような集光板２では、蛍光体２１が集光板２の内部に入射した外光Ｌの少なくとも一部を吸収して蛍光ＦＬに変換して放出する。放出された蛍光ＦＬは、集光板２の内部を伝播して、第１の端面２ａ、第２の端面２ｂ、第３の端面２ｃ、及び第４の端面２ｄから射出され、太陽電池素子３に入射し発電に利用される。
【００３６】
本実施形態では、図１に示すように、４つの太陽電池素子３が集光板２の縁部に沿って配置されている。集光板２の平面形状が四角形であり、太陽電池素子３の数が四角形の辺の数と等しい。
【００３７】
具体的には、各太陽電池素子３は、集光板２の各辺に沿って配置されている。第１の太陽電池素子３ａの受光面は、集光板２の第１の端面２ａに対向している。第２の太陽電池素子３ｂの受光面は、集光板２の第２の端面２ｂに対向している。第３の太陽電池素子３ｃの受光面は、集光板２の第３の端面２ｃに対向している。第４の太陽電池素子３ｄの受光面は、集光板２の第４の端面２ｄに対向している。なお、太陽電池素子３の幅は、一例として、５ｍｍ程度である。
【００３８】
太陽電池素子３としては、シリコン系太陽電池、化合物系太陽電池、量子ドット太陽電池、有機系太陽電池などの公知の太陽電池を使用することができる。中でも、化合物半導体を用いた化合物系太陽電池や量子ドット太陽電池は、高効率な発電が可能であることから、太陽電池素子３として好適である。特に、蛍光体２１の発光スペクトルのピーク波長（６１０ｎｍ）において高効率を示す化合物系太陽電池であるＧａＡｓ太陽電池が望ましい。他にも、化合物系太陽電池として、ＩｎＧａＰ、ＩｎＧａＡｓ，ＡｌＧａＡｓ、Ｃｕ（Ｉｎ，Ｇａ）Ｓｅ２、Ｃｕ（Ｉｎ，Ｇａ）（Ｓｅ，Ｓ）２、ＣｕＩｎＳ２、ＣｄＴｅ、ＣｄＳ等を用いてもよい。また、量子ドット太陽電池として、Ｓｉ、ＩｎＧａＡｓ等を用いてもよい。ただし、価格や用途に応じて、Ｓｉ系や有機系など他の種類の太陽電池を用いることもできる。
【００３９】
第１の太陽電池素子３ａは、図２（Ｂ）に示すように、集光板２の第１の端面２ａに透明接着剤５により接合されている。透明接着剤５は、エチレン・酢酸ビニル共重合体（ＥＶＡ）、エポキシ系接着剤、シリコーン系接着剤、ポリイミド系接着剤等の熱硬化性接着剤が好適である。なお、透明接着剤５の屈折率は、集光板２と同程度の１．５０となっている。
【００４０】
フレーム４は、図１に示すように、平面視矩形枠状である。フレーム４は、集光板２を保持するものである。フレーム４は、４つの太陽電池素子３を覆って形成されている。フレーム４の肉厚は２ｍｍ程度である。フレーム４の形成材料は、Ａｌ等の金属である。この他にも、フレーム４の形成材料としては種々の材料を用いることができる。特に、高強度かつ軽量な材料を用いることが好ましい。
【００４１】
図２（Ｂ）に示すように、フレーム４は、天板部４ａと、底板部４ｂと、側壁部４ｃと、を備えている。
【００４２】
天板部４ａの第１の端部は側壁部４ｃに接続されている。天板部４ａの第２の端部は集光板２の第１の主面２ｓの第１の端面２ａ側の端部まで延在している。底板部４ｂは、集光板２を挟んで天板部４ａと対向して配置されている。底板部４ｂの第１の端部は側壁部４ｃに接続されている。底板部４ｂの第２の端部は集光板２の第２の主面２ｆの第１の端面２ａ側の端部まで延在している。底板部４ｂの集光板２の主面に平行な方向の長さは、天板部４ａの集光板２の主面に平行な方向の長さと概ね等しくなっている。
【００４３】
フレーム４の側壁部４ｃと第１の太陽電池素子３ａとの間には緩衝材７が設けられている。これにより、外力によってフレーム４や集光板２が衝撃を受けた場合、緩衝材７により第１の太陽電池素子３ａに加わる衝撃を吸収できる。その結果、第１の太陽電池素子３ａの損傷を抑制できる。なお、緩衝材７としては、ポリウレタン等のウレタンフォームを用いることができる。
【００４４】
緩衝材７は、フレーム４の側壁部４ｃの内壁面に接着剤６により接合されている。接着剤６は、エチレン・酢酸ビニル共重合体（ＥＶＡ）、エポキシ系接着剤、シリコーン系接着剤、ポリイミド系接着剤等の熱硬化性接着剤が好適である。
【００４５】
フレーム４の天板部４ａの第２の端部と集光板２の第１の主面２ｓとの間には、第１の緩衝層８が設けられている。
【００４６】
第１の緩衝層８は、フレーム４の天板部４ａと集光板２の第１の主面２ｓとの間に加わる応力を吸収する。第１の緩衝層８としては、シリコンゴムシート等のゴムシートを用いることができる。この他にも、第１の緩衝層８の形成材料としては種々の材料を用いることができる。特に、高い防水性を兼ね備えた材料を用いることが好ましい。
【００４７】
なお、フレーム４の天板部４ａと集光板２の第１の主面２ｓとの間の第１の緩衝層８が配置されていない部分には空気層が介在している。
【００４８】
フレーム４の底板部４ｂの第２の端部と集光板２の第２の主面２ｆとの間には、第２の緩衝層９が設けられている。
【００４９】
第２の緩衝層９は、フレーム４の底板部４ｂと集光板２の第２の主面２ｆとの間に加わる応力を吸収する。第２の緩衝層９としては、第１の緩衝層８と同様のものを用いることができる。
【００５０】
なお、フレーム４の底板部４ｂと集光板２の第２の主面２ｆとの間の第２の緩衝層９が配置されていない部分には空気層が介在している。
【００５１】
図３は、太陽電池素子３の部分斜視図である。図４は、太陽電池素子３の分解斜視図である。
なお、図３及び図４においては、太陽電池素子３の構成として、第１の太陽電池素子３ａの構成を挙げて説明する。第２の太陽電池素子３ｂ、第３の太陽電池素子３ｃ、及び第４の太陽電池素子３ｄの構成は、第１の太陽電池素子３ａの構成と同様の構成を有する。
【００５２】
図３に示すように、第１の太陽電池素子３ａは、複数の太陽電池セル３０と、複数のフレキシブル基板（Flexible printed circuits ;FPC）３１と、を備えている。本実施形態では、４つの太陽電池セル３０が、集光板２の第１の端面２ａに沿って互いに隣接して配置されている。フレキシブル基板３１は、隣接する太陽電池セル３０同士を直列に接続する。
【００５３】
図４に示すように、太陽電池セル３０は、半導体基板４０と、第１の集電電極３４と、第２の集電電極３７と、を備えている。
【００５４】
第１の集電電極３４は、半導体基板４０の第１の面側（表面側）に形成されている。第１の集電電極３４は、複数のフィンガー電極３６と、バスバー電極３５と、によって形成されている。フィンガー電極３６は、集光板２からの光が入射することによって発生するキャリアを捕らえる電極である。バスバー電極３５は、各フィンガー電極３６からのキャリアを集める電極である。第２の集電電極３７（裏面電極）は、半導体基板４０の第２の面側（裏面側）に形成されている。
【００５５】
本実施形態では、第１の集電電極３４の極性を正（＋）とする。第２の集電電極３７の極性を負（−）とする。この場合、図３に示すように、複数のフレキシブル基板３１のうち集光板２の第１の端面２ａの第４の端面２ｄの側の端部に配置されたフレキシブル基板３１の端部が正端子となる。複数のフレキシブル基板３１のうち集光板２の第１の端面２ａの第２の端面２ｂの側の端部に配置されたフレキシブル基板３１の端部が負端子となる。
【００５６】
半導体基板４０は、例えば矩形形状を有するＰ型半導体基板である。半導体基板４０としては、単結晶シリコン基板、多結晶シリコン基板、ガリウム砒素基板などの公知の種々の半導体基板を用いることができる。図４に示すように、半導体基板４０の第１の面側にはＮ型不純物層４１が形成されている。Ｎ型不純物層４１と半導体基板４０のＰ型領域との界面でＰＮ接合が形成されている。
【００５７】
Ｎ型不純物層４１の表面には、複数のフィンガー電極３６が半導体基板４０の１辺に沿って互いに隣接して形成されている。複数のフィンガー電極３６の端部側には、バスバー電極３５が形成されている。バスバー電極３５は、複数のフィンガー電極３６を接続する電極である。バスバー電極３５は、複数のフィンガー電極３６を横切るように配置されている。バスバー電極３５は、半導体基板４０の１辺に沿ってストライプ状に形成されている。第２の集電電極３７は、概ね半導体基板４０の第２の面全体を覆って形成されている。
【００５８】
フレキシブル基板３１は、絶縁フィルム４２上に導電層４３を積層してなる。フレキシブル基板３１は、可撓性の配線基板である。フレキシブル基板３１としては、例えば、銅箔などの導電層４３の上下面をポリイミドなどの絶縁フィルム４２で覆い、太陽電池セル３０と接続する部分の絶縁フィルム４２を除去して導電層４３を露出させたものが用いられる。フレキシブル基板３１は、導電層４３が両面に露出した、いわゆる両面フレキシブル基板である。
【００５９】
フレキシブル基板３１は、第１の電極部３１ａと、第２の電極部３１ｂと、接続部３１ｃと、を備えている。第１の電極部３１ａは、バスバー電極３５と接続される部分である。第２の電極部３１ｂは、第２の集電電極３７と接続される部分である。接続部３１ｃは、第１の電極部３１ａと第２の電極部３１ｂとを接続する部分である。
【００６０】
第１の電極部３１ａは、太陽電池セル３０のバスバー電極３５に接続されている。第１の電極部３１ａは、図３に示すように、第１の端面２ａの法線方向から見てバスバー電極３５と重なる位置に配置されている。
【００６１】
なお、第１の電極部３１ａの配置位置は、第１の端面２ａの法線方向から見てバスバー電極３５と重ならない位置に配置されていてもよい。ただし、受光部（開口部）が小さくなり、発電効率が低減してしまう。そのため、発電効率の低減を抑制する観点からは、第１の電極部３１ａは、第１の端面２ａの法線方向から見てバスバー電極３５と重なる位置に配置されていることが好ましい。
【００６２】
第２の電極部３１ｂ及び接続部３１ｃは、太陽電池セル３０の端面に沿って折り曲げられ、隣りの太陽電池セル３０の第２の集電電極３７に接続されている。接続部３１ｃは太陽電池セル３０の端面に沿って略直角に折り曲げられている。これにより、太陽電池セル３０間に大きな隙間が生じないようになっている。
【００６３】
図４に示すように、フレキシブル基板３１とバスバー電極３５とは、第１の導電フィルム３２を用いて接続されている。
【００６４】
第１の導電フィルム３２は、樹脂の内部に微細な導電粒子を分散させて厚さ１０μｍから１００μｍ程度の膜状に成型したものである。第１の導電フィルム３２としては、異方性導電フィルム（Anisotropic Conductive Film ;ACF）などを用いることができる。なお、第１の導電フィルム３２としては、異方性導電フィルムのように厚み方向のみに導電性を有するものだけでなく、厚み方向とそれと直交する方向の双方に導電性を有するものを用いることも可能である。
【００６５】
フレキシブル基板３１と第２の集電電極３７とは、第２の導電フィルム３３を用いて接続されている。第２の導電フィルム３３としては、第１の導電フィルム３２と同様のものを用いることができる。
【００６６】
図５は、太陽電池素子３の形状及び大きさの一例を示す図である。図５に示すように、太陽電池セル３０の平面形状は、幅９９ｍｍ、高さ５ｍｍの長方形である。太陽電池セル３０間の隙間は１ｍｍである。バスバー電極３５の幅は１ｍｍである。バスバー電極３５と重なる位置に幅１ｍｍのフレキシブル基板３１が配置されている。
【００６７】
図６は、本発明の第１の実施形態に係る太陽光発電装置１００の概略構成を示す平面図である。なお、図６においては、便宜上、フレーム４の図示を省略している。
【００６８】
図６に示すように、太陽光発電装置１００は、太陽電池モジュール接合体１０と、パワーコンディショナー１２と、を備えている。
【００６９】
本実施形態の太陽電池モジュール接合体１０は、３つの太陽電池モジュール１が１行３列に配置されている。具体的には、第１の太陽電池モジュール１ａ、第２の太陽電池モジュール１ｂ、及び第３の太陽電池モジュール１ｃがパワーコンディショナー１２の側からこの順に配置されている。
【００７０】
ここで、太陽電池素子３の端子について説明する。以下の説明においては、端子の符号（例えば第１の太陽電池素子の正端子３ａ）を部材の符号（例えば第１の太陽電池素子３ａ）と極性の符号（例えば正（＋））との組合せで示すこととする。
【００７１】
第１の太陽電池素子３ａは、正端子３ａ（＋）と負端子３ａ（−）とを備えている。
正端子３ａ（＋）は、第１の太陽電池素子３ａの第４の端面２ｄの側の端部である。具体的には、正端子３ａ（＋）は、複数のフレキシブル基板３１のうち第１の端面２ａの第４の端面２ｄの側の端部に配置されたフレキシブル基板３１の端部である（図３参照）。
負端子３ａ（−）は、第１の太陽電池素子３ａの第２の端面２ｂの側の端部である。具体的には、負端子３ａ（−）は、複数のフレキシブル基板３１のうち第１の端面２ａの第２の端面２ｂの側の端部に配置されたフレキシブル基板３１の端部である(図３参照)。
【００７２】
第２の太陽電池素子３ｂは、正端子３ｂ（＋）と負端子３ｂ（−）とを備えている。
正端子３ｂ（＋）は、第２の太陽電池素子３ｂの第１の端面２ａの側の端部である。具体的には、正端子３ｂ（＋）は、複数のフレキシブル基板３１のうち第２の端面２ｂの第１の端面２ａの側の端部に配置されたフレキシブル基板３１の端部である。
負端子３ｂ（−）は、第２の太陽電池素子３ｂの第３の端面２ｃの側の端部である。具体的には、負端子３ｂ（−）は、複数のフレキシブル基板３１のうち第２の端面２ｂの第３の端面２ｃの側の端部に配置されたフレキシブル基板３１の端部である。
【００７３】
第３の太陽電池素子３ｃは、正端子３ｃ（＋）と負端子３ｃ（−）とを備えている。
正端子３ｃ（＋）は、第３の太陽電池素子３ｃの第２の端面２ｂの側の端部である。具体的には、正端子３ｃ（＋）は、複数のフレキシブル基板３１のうち第３の端面２ｃの第２の端面２ｂの側の端部に配置されたフレキシブル基板３１の端部である。
負端子３ｃ（−）は、第３の太陽電池素子３ｃの第４の端面２ｄの側の端部である。具体的には、負端子３ｃ（−）は、複数のフレキシブル基板３１のうち第３の端面２ｃの第４の端面２ｄの側の端部に配置されたフレキシブル基板３１の端部である。
【００７４】
第４の太陽電池素子３ｄは、正端子３ｄ（＋）と負端子３ｄ（−）とを備えている。
正端子３ｄ（＋）は、第４の太陽電池素子３ｄの第３の端面２ｃの側の端部である。具体的には、正端子３ｄ（＋）は、複数のフレキシブル基板３１のうち第４の端面２ｄの第３の端面２ｃの側の端部に配置されたフレキシブル基板３１の端部である。
負端子３ｄ（−）は、第４の太陽電池素子３ｄの第１の端面２ａの側の端部である。具体的には、負端子３ｄ（−）は、複数のフレキシブル基板３１のうち第４の端面２ｄの第１の端面２ａの側の端部に配置されたフレキシブル基板３１の端部である。
【００７５】
第１の太陽電池モジュール１ａにおける第１の太陽電池素子３ａと第２の太陽電池素子３ｂとは、接続配線１１ａを介して互いに直列接続されている。具体的には、第１の太陽電池モジュール１ａにおける第１の太陽電池素子３ａの負端子３ａ（−）と第２の太陽電池素子３ｂの正端子３ｂ（＋）とが、接続配線１１ａを介して互いに直列接続されている。第１の太陽電池モジュール１ａにおける第１の太陽電池素子３ａと第２の太陽電池素子３ｂとにより第１の電流経路Ｒ１が構成されている。
【００７６】
第１の太陽電池モジュール１ａの中では、第３の太陽電池素子３ｃと第４の太陽電池素子３ｄとは、第１の太陽電池素子３ａ及び第２の太陽電池素子３ｂと直列接続されていない。
【００７７】
第１の太陽電池モジュール１ａにおける第３の太陽電池素子３ｃと第４の太陽電池素子３ｄとは、接続配線１１ｂを介して互いに直列接続されている。具体的には、第１の太陽電池モジュール１ａにおける第３の太陽電池素子３ｃの負端子３ｃ（−）と第４の太陽電池素子３ｄの正端子３ｄ（＋）とが、接続配線１１ｂを介して互いに直列接続されている。第１の太陽電池モジュール１ａにおける第３の太陽電池素子３ｃと第４の太陽電池素子３ｄとにより第２の電流経路Ｒ２が構成されている。
【００７８】
第２の太陽電池モジュール１ｂにおける第４の太陽電池素子３ｄと第１の太陽電池素子３ａとは、接続配線１１ｃを介して互いに直列接続されている。具体的には、第２の太陽電池モジュール１ｂにおける第４の太陽電池素子３ｄの負端子３ｄ（−）と第１の太陽電池素子３ａの正端子３ａ（＋）とが、接続配線１１ｃを介して互いに直列接続されている。第２の太陽電池モジュール１ｂにおける第４の太陽電池素子３ｄと第１の太陽電池素子３ａとにより第３の電流経路Ｒ３が構成されている。
【００７９】
第２の太陽電池モジュール１ｂの中では、第２の太陽電池素子３ｂと第３の太陽電池素子３ｃとは、第４の太陽電池素子３ｄ及び第１の太陽電池素子３ａと直列接続されていない。
【００８０】
第２の太陽電池モジュール１ｂにおける第２の太陽電池素子３ｂと第３の太陽電池素子３ｃとは、接続配線１１ｄを介して互いに直列接続されている。具体的には、第２の太陽電池モジュール１ｂにおける第２の太陽電池素子３ｂの負端子３ｂ（−）と第３の太陽電池素子３ｃの正端子３ｃ（＋）とが、接続配線１１ｄを介して互いに直列接続されている。第２の太陽電池素子３ｂと第３の太陽電池素子３ｃとにより第４の電流経路Ｒ４が構成されている。
【００８１】
第３の太陽電池モジュール１ｃの中では、第１の太陽電池モジュール１ａ及び第２の太陽電池モジュール１ｂとは異なり、各太陽電池素子が直列接続されている。
【００８２】
第３の太陽電池モジュール１ｃにおける第１の太陽電池素子３ａと第２の太陽電池素子３ｂとは、接続配線１１ｅを介して互いに直列接続されている。具体的には、第３の太陽電池モジュール１ｃにおける第１の太陽電池素子３ａの負端子３ａ（−）と第２の太陽電池素子３ｂの正端子３ｂ（＋）とが、接続配線１１ｅを介して互いに直列接続されている。
【００８３】
第３の太陽電池モジュール１ｃにおける第２の太陽電池素子３ｂと第３の太陽電池素子３ｃとは、接続配線１１ｆを介して互いに直列接続されている。具体的には、第３の太陽電池モジュール１ｃにおける第２の太陽電池素子３ｂの負端子３ｂ（−）と第３の太陽電池素子３ｃの正端子３ｃ（＋）とが、接続配線１１ｆを介して互いに直列接続されている。
【００８４】
第３の太陽電池モジュール１ｃにおける第３の太陽電池素子３ｃと第４の太陽電池素子３ｄとは、接続配線１１ｇを介して互いに直列接続されている。具体的には、第３の太陽電池モジュール１ｃにおける第３の太陽電池素子３ｃの負端子３ｃ（−）と第４の太陽電池素子３ｄの正端子３ｄ（＋）とが、接続配線１１ｇを介して互いに直列接続されている。第３の太陽電池モジュール１ｃにおける第１の太陽電池素子３ａと第２の太陽電池素子３ｂと第３の太陽電池素子３ｃと第４の太陽電池素子３ｄとにより第５の電流経路Ｒ５が構成されている。
【００８５】
本実施形態では、第１の太陽電池モジュール１ａの第１の電流経路Ｒ１の終端と第２の太陽電池モジュール１ｂの第３の電流経路Ｒ３の始端とが接続配線１１ｈを介して互いに直列接続されている。具体的には、第１の太陽電池モジュール１ａにおける第２の太陽電池素子３ｂの負端子３ｂ（−）と第２の太陽電池モジュール１ｂにおける第４の太陽電池素子３ｄの正端子３ｄ（＋）とが、接続配線１１ｈを介して互いに直列接続されている。
【００８６】
第１の太陽電池モジュール１ａの第２の電流経路Ｒ２の始端と第２の太陽電池モジュール１ｂの第４の電流経路Ｒ４の終端とが接続配線１１ｉを介して互いに直列接続されている。具体的には、第１の太陽電池モジュール１ａにおける第３の太陽電池素子３ｃの正端子３ｃ（＋）と第２の太陽電池モジュール１ｂにおける第３の太陽電池素子３ｃの負端子３ｃ（−）とが、接続配線１１ｉを介して互いに直列接続されている。
【００８７】
第２の太陽電池モジュール１ｂの第３の電流経路Ｒ３の終端と第３の太陽電池モジュール１ｃの第５の電流経路Ｒ５の始端とが接続配線１１ｊを介して互いに直列接続されている。具体的には、第２の太陽電池モジュール１ｂにおける第１の太陽電池素子３ａの負端子３ａ（−）と第３の太陽電池モジュール１ｃにおける第１の太陽電池素子３ａの正端子３ａ（＋）とが、接続配線１１ｊを介して互いに直列接続されている。
【００８８】
第２の太陽電池モジュール１ｂの第４の電流経路Ｒ４の始端と第３の太陽電池モジュール１ｃの第５の電流経路Ｒ５の終端とが接続配線１１ｋを介して互いに直列接続されている。具体的には、第２の太陽電池モジュール１ｂにおける第２の太陽電池素子３ｂの正端子３ｂ（＋）と第３の太陽電池モジュール１ｃにおける第４の太陽電池素子３ｄの負端子３ｄ（−）とが、接続配線１１ｋを介して互いに直列接続されている。
【００８９】
このように本実施形態の太陽電池モジュール接合体１０においては、第１の太陽電池モジュール１ａの第１の電流経路Ｒ１、第２の太陽電池モジュール１ｂの第３の電流経路Ｒ３、第３の太陽電池モジュール１ｃの第５の電流経路Ｒ５、第２の太陽電池モジュール１ｂの第４の電流経路Ｒ４、及び第１の太陽電池モジュール１ａの第２の電流経路Ｒ２、がこの順に直列接続されている。
【００９０】
第１の太陽電池モジュール１ａにおける第１の太陽電池素子３ａの正端子３ａ（＋）は、第１の太陽電池モジュール１ａの第１の電流経路Ｒ１の始端である。第１の太陽電池モジュール１ａにおける第４の太陽電池素子３ｄの負端子３ｄ（−）は、第１の太陽電池モジュール１ａの第２の電流経路Ｒ２の終端である。第１の太陽電池モジュール１ａの第１の電流経路Ｒ１の始端と第１の太陽電池モジュール１ａの第２の電流経路Ｒ２の終端とは、隣り合って配置されている。第１の太陽電池モジュール１ａの第１の電流経路Ｒ１の始端と第１の太陽電池モジュール１ａの第２の電流経路Ｒ２の終端とは、外部機器接続用端子とされている。
【００９１】
パワーコンディショナー１２は、太陽電池モジュール接合体１０から出力された直流電力を交流電力に変換するインバータ(直流／交流変換器)である。パワーコンディショナー１２は、正端子１２（＋）と負端子１２（−）とを備えている。
【００９２】
パワーコンディショナー１２は、太陽電池モジュール接合体１０の外部機器接続用端子に接続されている。具体的には、パワーコンディショナー１２の正端子１２（＋）と第１の太陽電池モジュール１ａにおける第１の太陽電池素子３ａの正端子３ａ（＋）とが、接続配線１３ａを介して互いに接続されている。パワーコンディショナー１２の負端子１２（−）と第１の太陽電池モジュール１ａにおける第４の太陽電池素子３ｄの負端子３ｄ（−）とが、接続配線１３ｂを介して互いに接続されている。
【００９３】
以下、本実施形態に係る太陽光発電装置１００の作用効果について、比較例に係る太陽光発電装置１１００を一例として挙げて図７を用いて説明する。
図７は、比較例に係る太陽光発電装置１１００の概略構成を示す平面図である。なお、図７においては、便宜上、フレームの図示を省略している。
【００９４】
図７において、符号１０１０は太陽電池モジュール接合体を示す。符号１０１２はパワーコンディショナーを示す。符号１００１ａは第１の太陽電池モジュールを示す。符号１００１ｂは第２の太陽電池モジュールを示す。符号１００１ｃは第３の太陽電池モジュールを示す。符号１００２は集光板を示す。符号１００３ａは第１の太陽電池素子を示す。符号１００３ｂは第２の太陽電池素子を示す。符号１００３ｃは第３の太陽電池素子を示す。符号１００３ｄは第４の太陽電池素子を示す。符号１００３ａ（＋）は第１の太陽電池素子１００３ａの正端子を示す。符号１００３ａ（−）は第１の太陽電池素子１００３ａの負端子を示す。符号１００３ｂ（＋）は第２の太陽電池素子１００３ｂの正端子を示す。符号１００３ｂ（−）は第２の太陽電池素子１００３ｂの負端子を示す。符号１００３ｃ（＋）は第３の太陽電池素子１００３ｃの正端子を示す。符号１００３ｃ（−）は第３の太陽電池素子１００３ｃの負端子を示す。符号１００３ｄ（＋）は第４の太陽電池素子１００３ｄの正端子を示す。符号１００３ｄ（−）は第４の太陽電池素子１００３ｄの負端子を示す。符号１０１１ａ，１０１１ｂ，１０１１ｃ，１０１１ｄ，１０１１ｅ，１０１１ｆ，１０１１ｇ，１０１１ｈ，１０１１ｉ，１０１１ｊ，１０１１ｋ，１０１３ａ，１０１３ｂは接続配線を示す。符号ＲＸ１は第１の電流経路を示す。符号ＲＸ２は第２の電流経路を示す。符号ＲＸ３は第３の電流経路を示す。
【００９５】
図７に示すように、比較例に係る太陽光発電装置１１００は、それぞれの太陽電池モジュール内で４つの太陽電池素子が直列に接続されている。
【００９６】
比較例の太陽電池モジュール接合体１０１０においては、第１の太陽電池モジュール１００１ａの第１の電流経路ＲＸ１、第２の太陽電池モジュール１００１ｂの第２の電流経路ＲＸ２、第３の太陽電池モジュール１００１ｃの第３の電流経路ＲＸ３、がこの順に直列接続されている。
【００９７】
比較例においては、パワーコンディショナー１０１２の正端子１０１２（＋）と第１の太陽電池モジュール１００１ａにおける第４の太陽電池素子１００３ｄの正端子１００３ｄ（＋）とが、接続配線１０１３ａを介して互いに接続されている。パワーコンディショナー１０１２の負端子１０１２（−）と第３の太陽電池モジュール１００１ｃにおける第１の太陽電池素子１００３ａの負端子１００３ａ（−）とが、接続配線１０１３ｂを介して互いに接続されている。
【００９８】
そのため、比較例においては、隣り合う第１の太陽電池モジュール１００１ａと第２の太陽電池モジュール１００１ｂとの間で、接続端子間の距離が遠く離れてしまう。具体的には、第１の太陽電池モジュール１００１ａにおける第１の太陽電池素子１００３ａの負端子１００３ａ（−）と第２の太陽電池モジュール１００１ｂにおける第１の太陽電池素子１００３ａの正端子１００３ａ（＋）との間の距離が遠く離れてしまう。これにより、接続端子間の接続配線１０１１ｄが非常に長くなる。
【００９９】
比較例においては、第３の太陽電池モジュール１００１ｃの第３の電流経路ＲＸ３の終端がパワーコンディショナー１０１２への接続端子となる。第３の太陽電池モジュール１００１ｃは、３つの太陽電池モジュールのうちパワーコンディショナー１０１２から最も遠い。そのため、パワーコンディショナー用接続端子がパワーコンディショナー１０１２から遠く離れてしまう。具体的には、第３の太陽電池モジュール１００１ｃにおける第１の太陽電池素子１００３ａの負端子１００３ａ（−）とパワーコンディショナー１０１２の負端子１０１２（−）との間の距離が遠く離れてしまう。これにより、パワーコンディショナー１０１２への接続配線１０１３ｂが非常に長くなる。
【０１００】
比較例の太陽光発電装置１１００は、以下の課題を有する。図７に示したように接続配線が非常に長くなると、配線抵抗が大きくなり、電力の損失が増大する。また、接続配線のコストが高くなる。また、封止のために接続配線をフレームで囲む場合、フレームを大きくする必要がある。フレームを大きくすると、太陽光発電装置を屋根等の屋外に設置する場合、配線の接続作業が困難となる。
【０１０１】
一方、電力の損失を低減させる方法としては、接続配線の径を大きくすることが考えられる。しかしながら、接続配線の径を大きくすることは、製品コスト、製品サイズ、配線の接続作業性の面から妥当ではない。
【０１０２】
これに対し、本実施形態に係る太陽光発電装置１００においては、図６に示したように、第１の太陽電池モジュール１ａ及び第２の太陽電池モジュール１ｂのそれぞれが、２つの電流経路を有している。そして、第１の太陽電池モジュール１ａの第１の電流経路Ｒ１と第２の太陽電池モジュール１ｂの第３の電流経路Ｒ３とが直列接続されている。第１の太陽電池モジュール１ａの第２の電流経路Ｒ２と第２の太陽電池モジュール１ｂの第４の電流経路Ｒ４とが直列接続されている。そのため、隣り合う第１の太陽電池モジュール１ａと第２の太陽電池モジュール１ｂとの間で、接続端子間の距離を、比較例に係る距離よりも短くすることができる。これにより、接続端子間の接続配線１１ｈ，１１ｉを、比較例に係る接続配線１０１１ｄよりも短くすることができる。
【０１０３】
また、第１の太陽電池モジュール１ａの第１の電流経路Ｒ１の始端と第１の太陽電池モジュール１ａの第２の電流経路Ｒ２の終端とがパワーコンディショナー１２への接続端子となる。第１の太陽電池モジュール１ａは、パワーコンディショナー１２と隣り合って配置されている。そのため、パワーコンディショナー用接続端子の位置をパワーコンディショナー１２に近くすることができる。これにより、パワーコンディショナー１２への接続配線１３ａを、比較例に係る接続配線１０１３ｂよりも短くすることができる。
【０１０４】
以上説明したように、本実施形態によれば、接続配線を比較例に係るものよりも短くすることができる。そのため、配線抵抗を小さくし、電力の損失を低減することができる。また、接続配線のコストを低減できる。
また、封止のために接続配線をフレームで囲む場合であっても、フレームを大きくする必要がない。そのため、太陽光発電装置１００を屋根等の屋外に設置する場合、配線の接続作業が容易となる。
さらに、接続配線の径を大きくする必要がないため、製品コスト、製品サイズ、配線の接続作業性の面から好適である。
【０１０５】
［第２の実施形態］
以下、本発明の第２の実施形態について、図８を用いて説明する。
本実施形態の太陽光発電装置２００の基本構成は第１の実施形態と同一であり、太陽電池モジュールの配置構成が第１の実施形態と異なる。
図８は、第２の実施形態に係る太陽光発電装置２００の概略構成を示す平面図である。なお、図８においては、便宜上、フレームの図示を省略している。図８において、第１の実施形態で用いた図と共通の構成要素には同一の符号を付し、詳細な説明を省略する。
【０１０６】
図８に示すように、太陽光発電装置２００は、太陽電池モジュール接合体２１０と、パワーコンディショナー２１２と、を備えている。
【０１０７】
本実施形態においては、一例として、６つの太陽電池モジュール１が２行３列に配置されている例を挙げて説明する。具体的には、第１の太陽電池モジュール１ａ、第２の太陽電池モジュール１ｂ、第３の太陽電池モジュール１ｃ、第４の太陽電池モジュール１ｄ、第５の太陽電池モジュール１ｅ、第６の太陽電池モジュール１ｆ、がパワーコンディショナー２１２の側からこの順に配置されている。
【０１０８】
このように本実施形態においては、太陽電池モジュール１の配置数が第１実施形態の配置数の２倍である。以下、本実施形態の太陽電池モジュールの配置構成について詳細に説明する。
【０１０９】
本実施形態においては、第１の太陽電池モジュール１ａにおける第１の太陽電池素子３ａの負端子３ａ（−）と第２の太陽電池素子３ｂの正端子３ｂ（＋）とが、接続配線２１１ａを介して互いに直列接続されている。第１の太陽電池モジュール１ａにおける第１の太陽電池素子３ａと第２の太陽電池素子３ｂとにより第１の電流経路Ｒ１が構成されている。
【０１１０】
第１の太陽電池モジュール１ａにおける第３の太陽電池素子３ｃの負端子３ｃ（−）と第４の太陽電池素子３ｄの正端子３ｄ（＋）とが、接続配線２１１ｂを介して互いに直列接続されている。第１の太陽電池モジュール１ａにおける第３の太陽電池素子３ｃと第４の太陽電池素子３ｄとにより第２の電流経路Ｒ２が構成されている。
【０１１１】
第２の太陽電池モジュール１ｂにおける第４の太陽電池素子３ｄの負端子３ｄ（−）と第１の太陽電池素子３ａの正端子３ａ（＋）とが、接続配線２１１ｃを介して互いに直列接続されている。第２の太陽電池モジュール１ｂにおける第４の太陽電池素子３ｄと第１の太陽電池素子３ａとにより第３の電流経路Ｒ３が構成されている。
【０１１２】
第２の太陽電池モジュール１ｂにおける第２の太陽電池素子３ｂの負端子３ｂ（−）と第３の太陽電池素子３ｃの正端子３ｃ（＋）とが、接続配線２１１ｄを介して互いに直列接続されている。第２の太陽電池素子３ｂと第３の太陽電池素子３ｃとにより第４の電流経路Ｒ４が構成されている。
【０１１３】
第３の太陽電池モジュール１ｃにおける第１の太陽電池素子３ａの負端子３ａ（−）と第２の太陽電池素子３ｂの正端子３ｂ（＋）とが、接続配線２１１ｅを介して互いに直列接続されている。第３の太陽電池モジュール１ｃにおける第１の太陽電池素子３ａと第２の太陽電池素子３ｂとにより第５の電流経路Ｒ５が構成されている。
【０１１４】
第３の太陽電池モジュール１ｃにおける第３の太陽電池素子３ｃの負端子３ｃ（−）と第４の太陽電池素子３ｄの正端子３ｄ（＋）とが、接続配線２１１ｆを介して互いに直列接続されている。第３の太陽電池モジュール１ｃにおける第３の太陽電池素子３ｃと第４の太陽電池素子３ｄとにより第６の電流経路Ｒ６が構成されている。
【０１１５】
第４の太陽電池モジュール１ｄにおける第１の太陽電池素子３ａの負端子３ａ（−）と第４の太陽電池素子３ｄの正端子３ｄ（＋）とが、接続配線２１１ｇを介して互いに直列接続されている。第４の太陽電池モジュール１ｄにおける第１の太陽電池素子３ａと第４の太陽電池素子３ｄとにより第７の電流経路Ｒ７が構成されている。
【０１１６】
第４の太陽電池モジュール１ｄにおける第３の太陽電池素子３ｃの負端子３ｃ（−）と第２の太陽電池素子３ｂの正端子３ｂ（＋）とが、接続配線２１１ｈを介して互いに直列接続されている。第３の太陽電池素子３ｃと第２の太陽電池素子３ｂとにより第８の電流経路Ｒ８が構成されている。
【０１１７】
第５の太陽電池モジュール１ｅにおける第２の太陽電池素子３ｂの負端子３ｂ（−）と第１の太陽電池素子３ａの正端子３ａ（＋）とが、接続配線２１１ｉを介して互いに直列接続されている。第５の太陽電池モジュール１ｅにおける第２の太陽電池素子３ｂと第１の太陽電池素子３ａとにより第９の電流経路Ｒ９が構成されている。
【０１１８】
第５の太陽電池モジュール１ｅにおける第４の太陽電池素子３ｄの負端子３ｄ（−）と第３の太陽電池素子３ｃの正端子３ｃ（＋）とが、接続配線２１１ｊを介して互いに直列接続されている。第５の太陽電池モジュール１ｅにおける第４の太陽電池素子３ｄと第３の太陽電池素子３ｃとにより第１０の電流経路Ｒ１０が構成されている。
【０１１９】
第６の太陽電池モジュール１ｆにおける第１の太陽電池素子３ａの負端子３ａ（−）と第４の太陽電池素子３ｄの正端子３ｄ（＋）とが、接続配線２１１ｋを介して互いに直列接続されている。第６の太陽電池モジュール１ｆにおける第４の太陽電池素子３ｄの負端子３ｄ（−）と第３の太陽電池素子３ｃの正端子３ｃ（＋）とが、接続配線２１１ｌを介して互いに直列接続されている。第６の太陽電池モジュール１ｆにおける第３の太陽電池素子３ｃの負端子３ｃ（−）と第２の太陽電池素子３ｂの正端子３ｂ（＋）とが、接続配線２１１ｍを介して互いに直列接続されている。第６の太陽電池モジュール１ｆにおける第１の太陽電池素子３ａと第４の太陽電池素子３ｄと第３の太陽電池素子３ｃと第２の太陽電池素子３ｂとにより第１１の電流経路Ｒ１１が構成されている。
【０１２０】
本実施形態では、第１の太陽電池モジュール１ａの第１の電流経路Ｒ１の終端と第２の太陽電池モジュール１ｂの第３の電流経路Ｒ３の始端とが接続配線２１１ｏを介して互いに直列接続されている。具体的には、第１の太陽電池モジュール１ａにおける第２の太陽電池素子３ｂの負端子３ｂ（−）と第２の太陽電池モジュール１ｂにおける第４の太陽電池素子３ｄの正端子３ｄ（＋）とが、接続配線２１１ｏを介して互いに直列接続されている。
【０１２１】
第１の太陽電池モジュール１ａの第２の電流経路Ｒ２の始端と第２の太陽電池モジュール１ｂの第４の電流経路Ｒ４の終端とが接続配線２１１ｐを介して互いに直列接続されている。具体的には、第１の太陽電池モジュール１ａにおける第３の太陽電池素子３ｃの正端子３ｃ（＋）と第２の太陽電池モジュール１ｂにおける第３の太陽電池素子３ｃの負端子３ｃ（−）とが、接続配線２１１ｐを介して互いに直列接続されている。
【０１２２】
第２の太陽電池モジュール１ｂの第３の電流経路Ｒ３の終端と第３の太陽電池モジュール１ｃの第５の電流経路Ｒ５の始端とが接続配線２１１ｑを介して互いに直列接続されている。具体的には、第２の太陽電池モジュール１ｂにおける第１の太陽電池素子３ａの負端子３ａ（−）と第３の太陽電池モジュール１ｃにおける第１の太陽電池素子３ａの正端子３ａ（＋）とが、接続配線２１１ｑを介して互いに直列接続されている。
【０１２３】
第２の太陽電池モジュール１ｂの第４の電流経路Ｒ４の始端と第３の太陽電池モジュール１ｃの第６の電流経路Ｒ６の終端とが接続配線２１１ｒを介して互いに直列接続されている。具体的には、第２の太陽電池モジュール１ｂにおける第２の太陽電池素子３ｂの正端子３ｂ（＋）と第３の太陽電池モジュール１ｃにおける第４の太陽電池素子３ｄの負端子３ｄ（−）とが、接続配線２１１ｒを介して互いに直列接続されている。
【０１２４】
第３の太陽電池モジュール１ｃの第５の電流経路Ｒ５の終端と第４の太陽電池モジュール１ｄの第７の電流経路Ｒ７の始端とが接続配線２１１ｓを介して互いに直列接続されている。具体的には、第３の太陽電池モジュール１ｃにおける第２の太陽電池素子３ｂの負端子３ｂ（−）と第４の太陽電池モジュール１ｄにおける第１の太陽電池素子３ａの正端子３ａ（＋）とが、接続配線２１１ｓを介して互いに直列接続されている。
【０１２５】
第３の太陽電池モジュール１ｃの第６の電流経路Ｒ６の始端と第４の太陽電池モジュール１ｄの第８の電流経路Ｒ８の終端とが接続配線２１１ｔを介して互いに直列接続されている。具体的には、第３の太陽電池モジュール１ｃにおける第３の太陽電池素子３ｃの正端子３ｃ（＋）と第４の太陽電池モジュール１ｄにおける第２の太陽電池素子３ｂの負端子３ｂ（−）とが、接続配線２１１ｔを介して互いに直列接続されている。
【０１２６】
なお、本実施形態においては、接続配線２１１ｓと接続配線２１１ｔとが互いに交差して配置されている。
【０１２７】
第４の太陽電池モジュール１ｄの第７の電流経路Ｒ７の終端と第５の太陽電池モジュール１ｅの第９の電流経路Ｒ９の始端とが接続配線２１１ｕを介して互いに直列接続されている。具体的には、第４の太陽電池モジュール１ｄにおける第４の太陽電池素子３ｄの負端子３ｄ（−）と第５の太陽電池モジュール１ｅにおける第２の太陽電池素子３ｂの正端子３ｂ（＋）とが、接続配線２１１ｕを介して互いに直列接続されている。
【０１２８】
第４の太陽電池モジュール１ｄの第８の電流経路Ｒ８の始端と第５の太陽電池モジュール１ｅの第１０の電流経路Ｒ１０の終端とが接続配線２１１ｖを介して互いに直列接続されている。具体的には、第４の太陽電池モジュール１ｄにおける第３の太陽電池素子３ｃの正端子３ｃ（＋）と第５の太陽電池モジュール１ｅにおける第３の太陽電池素子３ｃの負端子３ｃ（−）とが、接続配線２１１ｖを介して互いに直列接続されている。
【０１２９】
第５の太陽電池モジュール１ｅの第９の電流経路Ｒ９の終端と第６の太陽電池モジュール１ｆの第１１の電流経路Ｒ１１の始端とが接続配線２１１ｗを介して互いに直列接続されている。具体的には、第５の太陽電池モジュール１ｅにおける第１の太陽電池素子３ａの負端子３ａ（−）と第６の太陽電池モジュール１ｆにおける第１の太陽電池素子３ａの正端子３ａ（＋）とが、接続配線２１１ｗを介して互いに直列接続されている。
【０１３０】
第５の太陽電池モジュール１ｅの第１０の電流経路Ｒ１０の始端と第６の太陽電池モジュール１ｆの第１１の電流経路Ｒ１１の終端とが接続配線２１１ｘを介して互いに直列接続されている。具体的には、第５の太陽電池モジュール１ｅにおける第４の太陽電池素子３ｄの正端子３ｄ（＋）と第６の太陽電池モジュール１ｆにおける第２の太陽電池素子３ｂの負端子３ｂ（−）とが、接続配線２１１ｘを介して互いに直列接続されている。
【０１３１】
このように本実施形態の太陽電池モジュール接合体２１０においては、第１の太陽電池モジュール１ａの第１の電流経路Ｒ１、第２の太陽電池モジュール１ｂの第３の電流経路Ｒ３、第３の太陽電池モジュール１ｃの第５の電流経路Ｒ５、第４の太陽電池モジュール１ｄの第７の電流経路Ｒ７、第５の太陽電池モジュール１ｅの第９の電流経路Ｒ９、第６の太陽電池モジュール１ｆの第１１の電流経路Ｒ１１、第５の太陽電池モジュール１ｅの第１０の電流経路Ｒ１０、第４の太陽電池モジュール１ｄの第８の電流経路Ｒ８、第３の太陽電池モジュール１ｃの第６の電流経路Ｒ６、第２の太陽電池モジュール１ｂの第４の電流経路Ｒ４、及び第１の太陽電池モジュール１ａの第２の電流経路Ｒ２、がこの順に直列接続されている。
【０１３２】
パワーコンディショナー２１２の正端子２１２（＋）と第１の太陽電池モジュール１ａにおける第１の太陽電池素子３ａの正端子３ａ（＋）とが、接続配線２１３ａを介して互いに接続されている。パワーコンディショナー２１２の負端子２１２（−）と第１の太陽電池モジュール１ａにおける第４の太陽電池素子３ｄの負端子３ｄ（−）とが、接続配線２１３ｂを介して互いに接続されている。
【０１３３】
本実施形態のように６つの太陽電池モジュール１が２行３列に配置されていると、第１の実施形態に係る場合（３つの太陽電池モジュール１が１行３列に配置されている場合）に比べて、複数の接続配線を足し合わせた長さが長くなる。したがって、本実施形態においては、配線抵抗を小さくし、電力の損失を低減することができる効果の実益が大きい。また、接続配線のコストを低減できる、配線の接続作業が容易となる、製品コスト、製品サイズ、配線の接続作業性の面から好適である、といった効果についても実益が大きい。
【０１３４】
［第３の実施形態］
以下、本発明の第３の実施形態について、図９を用いて説明する。
本実施形態の太陽光発電装置３００の基本構成は第１の実施形態と同一であり、接続配線の配置構成が第１の実施形態と異なる。
図９は、第３の実施形態に係る太陽光発電装置３００の概略構成を示す平面図である。なお、図９においては、便宜上、フレームの図示を省略している。図９において、第１の実施形態で用いた図と共通の構成要素には同一の符号を付し、詳細な説明を省略する。
【０１３５】
図９に示すように、太陽光発電装置３００は、太陽電池モジュール接合体３１０と、パワーコンディショナー３１２と、を備えている。
【０１３６】
本実施形態の太陽電池モジュール接合体３１０は、太陽電池モジュールの中で太陽電池素子３の端子極性が反転している。本実施形態では、一例として、３つの太陽電池モジュールのうち第２の太陽電池モジュール３０１ｂにおける太陽電池素子３の端子極性が反転している例を挙げて説明する。
【０１３７】
すなわち、本実施形態の太陽電池モジュール接合体３１０は、第１の太陽電池モジュール３０１ａ及び第３の太陽電池モジュール３０１ｃにおける太陽電池素子３の端子極性については第１の実施形態に係る端子極性と同様である。しかしながら、第２の太陽電池モジュール３０１ｂにおける太陽電池素子３の端子極性については、第１の実施形態に係る端子極性と異なり、端子極性が反転している。以下、詳細に説明する。
【０１３８】
第１の太陽電池モジュール３０１ａ及び第３の太陽電池モジュール３０１ｃにおいて、第１の太陽電池素子３ａの正端子３ａ（＋）は、第１の太陽電池素子３ａの第４の端面２ｄの側の端部である。第１の太陽電池素子３ａの負端子３ａ（−）は、第１の太陽電池素子３ａの第２の端面２ｂの側の端部である。
【０１３９】
第２の太陽電池素子３ｂの正端子３ｂ（＋）は、第２の太陽電池素子３ｂの第１の端面２ａの側の端部である。第２の太陽電池素子３ｂの負端子３ｂ（−）は、第２の太陽電池素子３ｂの第３の端面２ｃの側の端部である。
【０１４０】
第３の太陽電池素子３ｃの正端子３ｃ（＋）は、第３の太陽電池素子３ｃの第２の端面２ｂの側の端部である。第３の太陽電池素子３ｃの負端子３ｃ（−）は、第３の太陽電池素子３ｃの第４の端面２ｄの側の端部である。
【０１４１】
第４の太陽電池素子３ｄの正端子３ｄ（＋）は、第４の太陽電池素子３ｄの第３の端面２ｃの側の端部である。第４の太陽電池素子３ｄの負端子３ｄ（−）は、第４の太陽電池素子３ｄの第１の端面２ａの側の端部である。
【０１４２】
一方、第２の太陽電池モジュール３０１ｂにおいて、第１の太陽電池素子３ａの正端子３ａ（＋）は、第１の太陽電池素子３ａの第２の端面２ｂの側の端部である。第１の太陽電池素子３ａの負端子３ａ（−）は、第１の太陽電池素子３ａの第４の端面２ｄの側の端部である。
【０１４３】
第２の太陽電池素子３ｂの正端子３ｂ（＋）は、第２の太陽電池素子３ｂの第３の端面２ｃの側の端部である。第２の太陽電池素子３ｂの負端子３ｂ（−）は、第２の太陽電池素子３ｂの第１の端面２ａの側の端部である。
【０１４４】
第３の太陽電池素子３ｃの正端子３ｃ（＋）は、第３の太陽電池素子３ｃの第４の端面２ｄの側の端部である。第３の太陽電池素子３ｃの負端子３ｃ（−）は、第３の太陽電池素子３ｃの第２の端面２ｂの側の端部である。
【０１４５】
第４の太陽電池素子３ｄの正端子３ｄ（＋）は、第４の太陽電池素子３ｄの第１の端面２ａの側の端部である。第４の太陽電池素子３ｄの負端子３ｄ（−）は、第４の太陽電池素子３ｄの第３の端面２ｃの側の端部である。
【０１４６】
本実施形態においては、第１の太陽電池モジュール３０１ａにおける第１の太陽電池素子３ａの負端子３ａ（−）と第２の太陽電池素子３ｂの正端子３ｂ（＋）とが、接続配線３１１ａを介して互いに直列接続されている。第１の太陽電池モジュール３０１ａにおける第１の太陽電池素子３ａと第２の太陽電池素子３ｂとにより第１の電流経路Ｒ１が構成されている。
【０１４７】
第１の太陽電池モジュール３０１ａにおける第３の太陽電池素子３ｃの負端子３ｃ（−）と第４の太陽電池素子３ｄの正端子３ｄ（＋）とが、接続配線３１１ｂを介して互いに直列接続されている。第１の太陽電池モジュール３０１ａにおける第３の太陽電池素子３ｃと第４の太陽電池素子３ｄとにより第２の電流経路Ｒ２が構成されている。
【０１４８】
第２の太陽電池モジュール３０１ｂにおける第３の太陽電池素子３ｃの負端子３ｃ（−）と第２の太陽電池素子３ｂの正端子３ｂ（＋）とが、接続配線３１１ｃを介して互いに直列接続されている。第２の太陽電池モジュール３０１ｂにおける第３の太陽電池素子３ｃと第２の太陽電池素子３ｂとにより第３の電流経路Ｒ３が構成されている。
【０１４９】
第２の太陽電池モジュール３０１ｂにおける第１の太陽電池素子３ａの負端子３ａ（−）と第４の太陽電池素子３ｄの正端子３ｄ（＋）とが、接続配線３１１ｄを介して互いに直列接続されている。第１の太陽電池素子３ａと第４の太陽電池素子３ｄとにより第４の電流経路Ｒ４が構成されている。
【０１５０】
第３の太陽電池モジュール３０１ｃにおける第１の太陽電池素子３ａの負端子３ａ（−）と第２の太陽電池素子３ｂの正端子３ｂ（＋）とが、接続配線３１１ｅを介して互いに直列接続されている。第３の太陽電池モジュール３０１ｃにおける第２の太陽電池素子３ｂの負端子３ｂ（−）と第３の太陽電池素子３ｃの正端子３ｃ（＋）とが、接続配線３１１ｆを介して互いに直列接続されている。第３の太陽電池モジュール３０１ｃにおける第３の太陽電池素子３ｃの負端子３ｃ（−）と第４の太陽電池素子３ｄの正端子３ｄ（＋）とが、接続配線３１１ｇを介して互いに直列接続されている。第３の太陽電池モジュール３０１ｃにおける第１の太陽電池素子３ａと第２の太陽電池素子３ｂと第３の太陽電池素子３ｃと第４の太陽電池素子３ｄとにより第５の電流経路Ｒ５が構成されている。
【０１５１】
本実施形態では、第１の太陽電池モジュール３０１ａの第１の電流経路Ｒ１の終端と第２の太陽電池モジュール３０１ｂの第３の電流経路Ｒ３の始端とが接続配線３１１ｈを介して互いに直列接続されている。具体的には、第１の太陽電池モジュール３０１ａにおける第２の太陽電池素子３ｂの負端子３ｂ（−）と第２の太陽電池モジュール３０１ｂにおける第３の太陽電池素子３ｃの正端子３ｃ（＋）とが、接続配線３１１ｈを介して互いに直列接続されている。
【０１５２】
第１の太陽電池モジュール３０１ａの第２の電流経路Ｒ２の始端と第２の太陽電池モジュール３０１ｂの第４の電流経路Ｒ４の終端とが接続配線３１１ｉを介して互いに直列接続されている。具体的には、第１の太陽電池モジュール３０１ａにおける第３の太陽電池素子３ｃの正端子３ｃ（＋）と第２の太陽電池モジュール３０１ｂにおける第４の太陽電池素子３ｄの負端子３ｄ（−）とが、接続配線３１１ｉを介して互いに直列接続されている。
【０１５３】
なお、本実施形態においては、接続配線３１１ｈと接続配線３１１ｉとが互いに交差して配置されている。
【０１５４】
第２の太陽電池モジュール３０１ｂの第３の電流経路Ｒ３の終端と第３の太陽電池モジュール３０１ｃの第５の電流経路Ｒ５の始端とが接続配線３１１ｊを介して互いに直列接続されている。具体的には、第２の太陽電池モジュール３０１ｂにおける第２の太陽電池素子３ｂの負端子３ｂ（−）と第３の太陽電池モジュール３０１ｃにおける第１の太陽電池素子３ａの正端子３ａ（＋）とが、接続配線３１１ｊを介して互いに直列接続されている。
【０１５５】
第２の太陽電池モジュール３０１ｂの第４の電流経路Ｒ４の始端と第３の太陽電池モジュール３０１ｃの第５の電流経路Ｒ５の終端とが接続配線３１１ｋを介して互いに直列接続されている。具体的には、第２の太陽電池モジュール３０１ｂにおける第１の太陽電池素子３ａの正端子３ａ（＋）と第３の太陽電池モジュール３０１ｃにおける第４の太陽電池素子３ｄの負端子３ｄ（−）とが、接続配線３１１ｋを介して互いに直列接続されている。
【０１５６】
なお、本実施形態においては、接続配線３１１ｊと接続配線３１１ｋとが互いに交差して配置されている。
【０１５７】
このように本実施形態の太陽電池モジュール接合体３１０においては、第１の太陽電池モジュール３０１ａの第１の電流経路Ｒ１、第２の太陽電池モジュール３０１ｂの第３の電流経路Ｒ３、第３の太陽電池モジュール３０１ｃの第５の電流経路Ｒ５、第２の太陽電池モジュール３０１ｂの第４の電流経路Ｒ４、及び第１の太陽電池モジュール３０１ａの第２の電流経路Ｒ２、がこの順に直列接続されている。
【０１５８】
パワーコンディショナー３１２の正端子３１２（＋）と第１の太陽電池モジュール３０１ａにおける第１の太陽電池素子３ａの正端子３ａ（＋）とが、接続配線３１３ａを介して互いに接続されている。パワーコンディショナー３１２の負端子３１２（−）と第１の太陽電池モジュール３０１ａにおける第４の太陽電池素子３ｄの負端子３ｄ（−）とが、接続配線３１３ｂを介して互いに接続されている。
【０１５９】
本実施形態のように太陽電池モジュールの中で太陽電池素子３の端子極性が反転していると、第１の実施形態に係る場合（各太陽電池モジュール１ごとに太陽電池素子３の端子極性が同じ場合）に比べて、配線の接続作業性が困難になる。したがって、本実施形態によれば、接続配線を比較例に係るものよりも短くすることにより、配線の接続作業性が容易となる効果の実益が大きい。
【０１６０】
［第４の実施形態］
以下、本発明の第４の実施形態について、図１０を用いて説明する。
本実施形態の太陽光発電装置４００の基本構成は第１の実施形態と同一であり、集光板の平面形状が第１の実施形態と異なる。
図１０は、第４の実施形態に係る太陽光発電装置４００の概略構成を示す平面図である。なお、図１０においては、便宜上、フレームの図示を省略している。図１０において、第１の実施形態で用いた図と共通の構成要素には同一の符号を付し、詳細な説明を省略する。
【０１６１】
図１０に示すように、太陽光発電装置４００は、太陽電池モジュール接合体４１０と、パワーコンディショナー４１２と、を備えている。
【０１６２】
本実施形態では、一例として、集光板４０２の平面形状が三角形である例を挙げて説明する。太陽電池素子の数は、三角形の辺の数と等しい。本実施形態においては、１つの太陽電池モジュール４０１につき３つの太陽電池素子が配置されている。
【０１６３】
本実施形態の太陽電池モジュール接合体４１０は、第１の太陽電池モジュール４０１ａ、第２の太陽電池モジュール４０１ｂ、及び第３の太陽電池モジュール４０１ｃがパワーコンディショナー４１２の側からこの順に配置されている。
【０１６４】
本実施形態においては、第１の太陽電池モジュール４０１ａにおける第１の太陽電池素子４０３ａにより第１の電流経路Ｒ１が構成されている。
【０１６５】
第１の太陽電池モジュール４０１ａにおける第２の太陽電池素子４０３ｂの負端子４０３ｂ（−）と第３の太陽電池素子４０３ｃの正端子３ｄ（＋）とが、接続配線４１１ａを介して互いに直列接続されている。第１の太陽電池モジュール１ａにおける第２の太陽電池素子４０３ｂと第３の太陽電池素子４０３ｃとにより第２の電流経路Ｒ２が構成されている。
【０１６６】
第２の太陽電池モジュール４０１ｂにおける第１の太陽電池素子４０３ａにより第３の電流経路Ｒ３が構成されている。
【０１６７】
第２の太陽電池モジュール４０１ｂにおける第２の太陽電池素子４０３ｂの負端子４０３ｂ（−）と第３の太陽電池素子４０３ｃの正端子４０３ｃ（＋）とが、接続配線４１１ｂを介して互いに直列接続されている。第２の太陽電池素子４０３ｂと第３の太陽電池素子４０３ｃとにより第４の電流経路Ｒ４が構成されている。
【０１６８】
第３の太陽電池モジュール４０１ｃにおける第１の太陽電池素子４０３ａの負端子４０３ａ（−）と第２の太陽電池素子４０３ｂの正端子４０３ｂ（＋）とが、接続配線４１１ｃを介して互いに直列接続されている。第３の太陽電池モジュール４０１ｃにおける第２の太陽電池素子４０３ｂの負端子４０３ｂ（−）と第３の太陽電池素子４０３ｃの正端子４０３ｃ（＋）とが、接続配線４１１ｄを介して互いに直列接続されている。第３の太陽電池モジュール４０１ｃにおける第１の太陽電池素子４０３ａと第２の太陽電池素子４０３ｂと第３の太陽電池素子４０３ｃとにより第５の電流経路Ｒ５が構成されている。
【０１６９】
本実施形態では、第１の太陽電池モジュール４０１ａの第１の電流経路Ｒ１の終端と第２の太陽電池モジュール４０１ｂの第３の電流経路Ｒ３の始端とが接続配線４１１ｅを介して互いに直列接続されている。具体的には、第１の太陽電池モジュール４０１ａにおける第１の太陽電池素子４０３ａの負端子４０３ａ（−）と第２の太陽電池モジュール４０１ｂにおける第１の太陽電池素子４０３ａの正端子４０３ａ（＋）とが、接続配線４１１ｅを介して互いに直列接続されている。
【０１７０】
第１の太陽電池モジュール４０１ａの第２の電流経路Ｒ２の始端と第２の太陽電池モジュール４０１ｂの第４の電流経路Ｒ４の終端とが接続配線４１１ｆを介して互いに直列接続されている。具体的には、第１の太陽電池モジュール４０１ａにおける第２の太陽電池素子４０３ｂの正端子４０３ｂ（＋）と第２の太陽電池モジュール４０１ｂにおける第３の太陽電池素子４０３ｃの負端子４０３ｃ（−）とが、接続配線４１１ｆを介して互いに直列接続されている。
【０１７１】
第２の太陽電池モジュール４０１ｂの第３の電流経路Ｒ３の終端と第３の太陽電池モジュール４０１ｃの第５の電流経路Ｒ５の始端とが接続配線４１１ｇを介して互いに直列接続されている。具体的には、第２の太陽電池モジュール４０１ｂにおける第１の太陽電池素子４０３ａの負端子４０３ａ（−）と第３の太陽電池モジュール４０１ｃにおける第１の太陽電池素子４０３ａの正端子４０３ａ（＋）とが、接続配線４１１ｇを介して互いに直列接続されている。
【０１７２】
第２の太陽電池モジュール４０１ｂの第４の電流経路Ｒ４の始端と第３の太陽電池モジュール４０１ｃの第５の電流経路Ｒ５の終端とが接続配線４１１ｈを介して互いに直列接続されている。具体的には、第２の太陽電池モジュール４０１ｂにおける第２の太陽電池素子４０３ｂの正端子４０３ｂ（＋）と第３の太陽電池モジュール４０１ｃにおける第３の太陽電池素子４０３ｃの負端子４０３ｃ（−）とが、接続配線４１１ｈを介して互いに直列接続されている。
【０１７３】
このように本実施形態の太陽電池モジュール接合体４１０においては、第１の太陽電池モジュール４０１ａの第１の電流経路Ｒ１、第２の太陽電池モジュール４０１ｂの第３の電流経路Ｒ３、第３の太陽電池モジュール４０１ｃの第５の電流経路Ｒ５、第２の太陽電池モジュール４０１ｂの第４の電流経路Ｒ４、及び第１の太陽電池モジュール４０１ａの第２の電流経路Ｒ２、がこの順に直列接続されている。
【０１７４】
パワーコンディショナー４１２の正端子４１２（＋）と第１の太陽電池モジュール４０１ａにおける第１の太陽電池素子４０３ａの正端子４０３ａ（＋）とが、接続配線４１３ａを介して互いに接続されている。パワーコンディショナー４１２の負端子４１２（−）と第１の太陽電池モジュール４０１ａにおける第３の太陽電池素子４０３ｃの負端子４０３ｃ（−）とが、接続配線４１３ｂを介して互いに接続されている。
【０１７５】
本実施形態のように集光板４０２の平面形状が三角形であると、第１の実施形態に係る場合（集光板２の平面形状が四角形である場合）に比べて、接続配線の数を減らすことができる。したがって、本実施形態においては、接続配線のコストを低減できる、配線の接続作業が容易となる、製品コスト、製品サイズ、配線の接続作業性の面から好適である、といった効果が大きくなる。
また、比較例に係る集光板の平面形状を三角形にしたものに比べて、接続配線を短くすることができる。そのため、配線抵抗を小さくし、電力の損失を低減することができる。また、接続配線のコストを低減できる。配線の接続作業が容易となる。
【０１７６】
［第５の実施形態］
以下、本発明の第５の実施形態について、図１１を用いて説明する。
本実施形態の太陽光発電装置５００の基本構成は第１の実施形態と同一であり、平面形状が異なる種類の集光板を用いている点が第１の実施形態と異なる。
図１１は、第５の実施形態に係る太陽光発電装置５００の概略構成を示す平面図である。なお、図１１においては、便宜上、フレームの図示を省略している。図１１において、第１の実施形態で用いた図と共通の構成要素には同一の符号を付し、詳細な説明を省略する。
【０１７７】
図１１に示すように、太陽光発電装置５００は、太陽電池モジュール接合体５１０と、パワーコンディショナー５１２と、を備えている。
【０１７８】
本実施形態では、一例として、平面形状が四角形である集光板２と、平面形状が三角形である集光板４０２と、を用いた例を挙げて説明する。
【０１７９】
本実施形態の太陽電池モジュール接合体５１０は、第１の太陽電池モジュール５０１ａ、第２の太陽電池モジュール５０１ｂ、及び第３の太陽電池モジュール５０１ｃがパワーコンディショナー５１２の側からこの順に配置されている。
【０１８０】
なお、本実施形態の第１の太陽電池モジュール５０１ａ及び第３の太陽電池モジュール５０１ｃは、第１の実施形態に係る太陽電池モジュール１に相当する。本実施形態の第２の太陽電池モジュール５０１ｂは、第４の実施形態に係る太陽電池モジュール４０１に相当する。
【０１８１】
本実施形態においては、第１の太陽電池モジュール５０１ａにおける第１の太陽電池素子３ａの負端子３ａ（−）と第２の太陽電池素子３ｂの正端子３ｂ（＋）とが、接続配線５１１ａを介して互いに直列接続されている。第１の太陽電池モジュール５０１ａにおける第１の太陽電池素子３ａと第２の太陽電池素子３ｂとにより第１の電流経路Ｒ１が構成されている。
【０１８２】
第１の太陽電池モジュール５０１ａにおける第３の太陽電池素子３ｃの負端子３ｃ（−）と第４の太陽電池素子３ｄの正端子３ｄ（＋）とが、接続配線５１１ｂを介して互いに直列接続されている。第１の太陽電池モジュール５０１ａにおける第３の太陽電池素子３ｃと第４の太陽電池素子３ｄとにより第２の電流経路Ｒ２が構成されている。
【０１８３】
第２の太陽電池モジュール５０１ｂにおける第１の太陽電池素子４０３ａにより第３の電流経路Ｒ３が構成されている。
【０１８４】
第２の太陽電池モジュール５０１ｂにおける第２の太陽電池素子４０３ｂの負端子４０３ｂ（−）と第３の太陽電池素子４０３ｃの正端子４０３ｃ（＋）とが、接続配線５１１ｃを介して互いに直列接続されている。第２の太陽電池素子４０３ｂと第３の太陽電池素子４０３ｃとにより第４の電流経路Ｒ４が構成されている。
【０１８５】
第３の太陽電池モジュール５０１ｃにおける第１の太陽電池素子３ａの負端子３ａ（−）と第２の太陽電池素子３ｂの正端子３ｂ（＋）とが、接続配線５１１ｄを介して互いに直列接続されている。第３の太陽電池モジュール５０１ｃにおける第２の太陽電池素子３ｂの負端子３ｂ（−）と第３の太陽電池素子３ｃの正端子３ｃ（＋）とが、接続配線５１１ｅを介して互いに直列接続されている。第３の太陽電池モジュール５０１ｃにおける第３の太陽電池素子３ｃの負端子３ｃ（−）と第４の太陽電池素子３ｄの正端子３ｄ（＋）とが、接続配線５１１ｆを介して互いに直列接続されている。第３の太陽電池モジュール５０１ｃにおける第１の太陽電池素子３ａと第２の太陽電池素子３ｂと第３の太陽電池素子３ｃと第４の太陽電池素子３ｄとにより第５の電流経路Ｒ５が構成されている。
【０１８６】
本実施形態では、第１の太陽電池モジュール５０１ａの第１の電流経路Ｒ１の終端と第２の太陽電池モジュール５０１ｂの第３の電流経路Ｒ３の始端とが接続配線５１１ｇを介して互いに直列接続されている。具体的には、第１の太陽電池モジュール５０１ａにおける第２の太陽電池素子３ｂの負端子３ｂ（−）と第２の太陽電池モジュール５０１ｂにおける第１の太陽電池素子４０３ａの正端子４０３ａ（＋）とが、接続配線５１１ｇを介して互いに直列接続されている。
【０１８７】
第１の太陽電池モジュール５０１ａの第２の電流経路Ｒ２の始端と第２の太陽電池モジュール５０１ｂの第４の電流経路Ｒ４の終端とが接続配線５１１ｈを介して互いに直列接続されている。具体的には、第１の太陽電池モジュール５０１ａにおける第３の太陽電池素子３ｃの正端子３ｃ（＋）と第２の太陽電池モジュール５０１ｂにおける第３の太陽電池素子４０３ｃの負端子４０３ｃ（−）とが、接続配線５１１ｈを介して互いに直列接続されている。
【０１８８】
第２の太陽電池モジュール５０１ｂの第３の電流経路Ｒ３の終端と第３の太陽電池モジュール５０１ｃの第５の電流経路Ｒ５の始端とが接続配線５１１ｉを介して互いに直列接続されている。具体的には、第２の太陽電池モジュール５０１ｂにおける第１の太陽電池素子４０３ａの負端子４０３ａ（−）と第３の太陽電池モジュール５０１ｃにおける第１の太陽電池素子３ａの正端子３ａ（＋）とが、接続配線５１１ｉを介して互いに直列接続されている。
【０１８９】
第２の太陽電池モジュール５０１ｂの第４の電流経路Ｒ４の始端と第３の太陽電池モジュール５０１ｃの第５の電流経路Ｒ５の終端とが接続配線５１１ｊを介して互いに直列接続されている。具体的には、第２の太陽電池モジュール５０１ｂにおける第２の太陽電池素子４０３ｂの正端子４０３ｂ（＋）と第３の太陽電池モジュール５０１ｃにおける第４の太陽電池素子３ｄの負端子３ｄ（−）とが、接続配線５１１ｊを介して互いに直列接続されている。
【０１９０】
このように本実施形態の太陽電池モジュール接合体５１０においては、第１の太陽電池モジュール５０１ａの第１の電流経路Ｒ１、第２の太陽電池モジュール５０１ｂの第３の電流経路Ｒ３、第３の太陽電池モジュール５０１ｃの第５の電流経路Ｒ５、第２の太陽電池モジュール５０１ｂの第４の電流経路Ｒ４、及び第１の太陽電池モジュール５０１ａの第２の電流経路Ｒ２、がこの順に直列接続されている。
【０１９１】
パワーコンディショナー５１２の正端子５１２（＋）と第１の太陽電池モジュール５０１ａにおける第１の太陽電池素子３ａの正端子３ａ（＋）とが、接続配線５１３ａを介して互いに接続されている。パワーコンディショナー５１２の負端子５１２（−）と第１の太陽電池モジュール５０１ａにおける第４の太陽電池素子３ｄの負端子３ｄ（−）とが、接続配線５１３ｂを介して互いに接続されている。
【０１９２】
本実施形態のように平面形状が四角形である集光板２と、平面形状が三角形である集光板４０２と、を用いた場合であっても、配線抵抗を小さくし、電力の損失を低減することができる、接続配線のコストを低減できる、配線の接続作業が容易となる、製品コスト、製品サイズ、配線の接続作業性の面から好適である、といった第１の実施形態に係る場合と同様の効果を奏する。
【０１９３】
［第６の実施形態］
以下、本発明の第６の実施形態について、図１２を用いて説明する。
本実施形態の太陽光発電装置６００の基本構成は第１の実施形態と同一であり、太陽電池素子を備えていない多角形の辺に対応する集光板の端面に反射ミラーが設けられた点が第１の実施形態と異なる。
図１２は、第６の実施形態に係る太陽光発電装置６００の概略構成を示す平面図である。なお、図１２においては、便宜上、フレームの図示を省略している。図１２において、第１の実施形態で用いた図と共通の構成要素には同一の符号を付し、詳細な説明を省略する。
【０１９４】
図１２に示すように、太陽光発電装置６００は、太陽電池モジュール接合体６１０と、パワーコンディショナー６１２と、を備えている。
【０１９５】
本実施形態の太陽電池モジュール接合体６１０は、集光板２の平面形状が四角形であり、太陽電池素子の数が四角形の辺の数よりも少ない。本実施形態では、一例として、１つの太陽電池モジュール６０１につき３つの太陽電池素子と１つの反射ミラーとが配置されている例を挙げて説明する。
【０１９６】
本実施形態の太陽電池モジュール接合体６１０は、第１の太陽電池モジュール６０１ａ、第２の太陽電池モジュール６０１ｂ、及び第３の太陽電池モジュール６０１ｃがパワーコンディショナー６１２の側からこの順に配置されている。
【０１９７】
本実施形態においては、集光板２の第２の端面２ｂに第２の太陽電池素子が配置されていない。第２の太陽電池素子を備えていない四角形の辺に対応する集光板２の第２の端面２ｂに、反射ミラー６０３ｂが設けられている。反射ミラー６０３ｂは、集光板２の内部を伝播する光を反射させる。反射ミラー６０３ｂの反射面は、集光板２の第２の端面２ｂに対向している。
【０１９８】
反射ミラー６０３ｂとしては、銀やアルミニウムなどの金属膜からなる反射層や、ＥＳＲ（Enhanced Specular Reflector）反射フィルム（３Ｍ社製）などの誘電体多層膜からなる反射層などを用いることができる。なお、反射ミラー６０３ｂは、これに限らない。反射ミラー６０３ｂとしては、蛍光体の発光波長における反射率が高いものが望ましい。
【０１９９】
本実施形態においては、第１の太陽電池モジュール６０１ａにおける第１の太陽電池素子６０３ａにより第１の電流経路Ｒ１が構成されている。
【０２００】
第１の太陽電池モジュール６０１ａにおける第３の太陽電池素子６０３ｃの負端子６０３ｃ（−）と第４の太陽電池素子６０３ｄの正端子６０３ｄ（＋）とが、接続配線６１１ａを介して互いに直列接続されている。第１の太陽電池モジュール６０１ａにおける第３の太陽電池素子６０３ｃと第４の太陽電池素子６０３ｄとにより第２の電流経路Ｒ２が構成されている。
【０２０１】
第２の太陽電池モジュール６０１ｂにおける第４の太陽電池素子６０３ｄの負端子６０３ｄ（−）と第１の太陽電池素子６０３ａの正端子６０３ａ（＋）とが、接続配線６１１ｂを介して互いに直列接続されている。第２の太陽電池モジュール６０１ｂにおける第４の太陽電池素子６０３ｄと第３の太陽電池素子６０３ｃとにより第３の電流経路Ｒ３が構成されている。
【０２０２】
第２の太陽電池モジュール６０１ｂにおける第３の太陽電池素子６０３ｃにより第４の電流経路Ｒ４が構成されている。
【０２０３】
第３の太陽電池モジュール６０１ｃにおける第１の太陽電池素子６０３ａの負端子６０３ａ（−）と第３の太陽電池素子６０３ｃの正端子６０３ｃ（＋）とが、接続配線６１１ｃを介して互いに直列接続されている。
【０２０４】
本実施形態においては、接続配線６１１ｃが第３の太陽電池モジュール６０１ｃにおける反射ミラー６０３ｂの反射面と反対側の面に設けられている。これにより、接続配線６１１ｃが反射ミラー６０３ｂの反射面に設けられる場合に比べて、反射ミラー６０３ｂの反射効率が低減するのを抑制することができる。
【０２０５】
第３の太陽電池モジュール６０１ｃにおける第３の太陽電池素子６０３ｃの負端子６０３ｃ（−）と第４の太陽電池素子６０３ｄの正端子６０３ｄ（＋）とが、接続配線６１１ｄを介して互いに直列接続されている。第３の太陽電池モジュール６０１ｃにおける第１の太陽電池素子６０３ａと第３の太陽電池素子６０３ｃと第４の太陽電池素子６０３ｄとにより第５の電流経路Ｒ５が構成されている。
【０２０６】
本実施形態では、第１の太陽電池モジュール６０１ａの第１の電流経路Ｒ１の終端と第２の太陽電池モジュール６０１ｂの第３の電流経路Ｒ３の始端とが接続配線６１１ｅを介して互いに直列接続されている。具体的には、第１の太陽電池モジュール６０１ａにおける第１の太陽電池素子６０３ａの負端子６０３ａ（−）と第２の太陽電池モジュール６０１ｂにおける第４の太陽電池素子６０３ｄの正端子６０３ｄ（＋）とが、接続配線６１１ｅを介して互いに直列接続されている。
【０２０７】
本実施形態においては、接続配線６１１ｅが第１の太陽電池モジュール６０１ａにおける反射ミラー６０３ｂの反射面と反対側の面に設けられている。これにより、接続配線６１１ｅが反射ミラー６０３ｂの反射面に設けられる場合に比べて、反射ミラー６０３ｂの反射効率が低減するのを抑制することができる。
【０２０８】
第１の太陽電池モジュール６０１ａの第２の電流経路Ｒ２の始端と第２の太陽電池モジュール６０１ｂの第４の電流経路Ｒ４の終端とが接続配線６１１ｆを介して互いに直列接続されている。具体的には、第１の太陽電池モジュール６０１ａにおける第３の太陽電池素子６０３ｃの正端子６０３ｃ（＋）と第２の太陽電池モジュール６０１ｂにおける第３の太陽電池素子６０３ｃの負端子６０３ｃ（−）とが、接続配線６１１ｆを介して互いに直列接続されている。
【０２０９】
第２の太陽電池モジュール６０１ｂの第３の電流経路Ｒ３の終端と第３の太陽電池モジュール６０１ｃの第５の電流経路Ｒ５の始端とが接続配線６１１ｇを介して互いに直列接続されている。具体的には、第２の太陽電池モジュール６０１ｂにおける第１の太陽電池素子６０３ａの負端子６０３ａ（−）と第３の太陽電池モジュール６０１ｃにおける第１の太陽電池素子６０３ａの正端子６０３ａ（＋）とが、接続配線６１１ｇを介して互いに直列接続されている。
【０２１０】
第２の太陽電池モジュール６０１ｂの第４の電流経路Ｒ４の始端と第３の太陽電池モジュール６０１ｃの第５の電流経路Ｒ５の終端とが接続配線６１１ｈを介して互いに直列接続されている。具体的には、第２の太陽電池モジュール６０１ｂにおける第３の太陽電池素子６０３ｃの正端子６０３ｃ（＋）と第３の太陽電池モジュール６０１ｃにおける第４の太陽電池素子６０３ｄの負端子６０３ｄ（−）とが、接続配線６１１ｈを介して互いに直列接続されている。
【０２１１】
本実施形態においては、接続配線６１１ｈが第２の太陽電池モジュール６０１ｂにおける反射ミラー６０３ｂの反射面と反対側の面に設けられている。これにより、接続配線６１１ｈが反射ミラー６０３ｂの反射面に設けられる場合に比べて、反射ミラー６０３ｂの反射効率が低減するのを抑制することができる。
【０２１２】
このように本実施形態の太陽電池モジュール接合体６１０においては、第１の太陽電池モジュール６０１ａの第１の電流経路Ｒ１、第２の太陽電池モジュール６０１ｂの第３の電流経路Ｒ３、第３の太陽電池モジュール６０１ｃの第５の電流経路Ｒ５、第２の太陽電池モジュール６０１ｂの第４の電流経路Ｒ４、及び第１の太陽電池モジュール６０１ａの第２の電流経路Ｒ２、がこの順に直列接続されている。
【０２１３】
パワーコンディショナー６１２の正端子６１２（＋）と第１の太陽電池モジュール６０１ａにおける第１の太陽電池素子６０３ａの正端子６０３ａ（＋）とが、接続配線６１３ａを介して互いに接続されている。パワーコンディショナー６１２の負端子６１２（−）と第１の太陽電池モジュール６０１ａにおける第４の太陽電池素子６０３ｄの負端子６０３ｄ（−）とが、接続配線６１３ｂを介して互いに接続されている。
【０２１４】
本実施形態のように集光板２の第２の端面２ｂに反射ミラー６０３ｂが設けられた構成であっても、配線抵抗を小さくし、電力の損失を低減することができる、接続配線のコストを低減できる、配線の接続作業が容易となる、製品コスト、製品サイズ、配線の接続作業性の面から好適である、といった第１の実施形態に係る場合と同様の効果を奏する。
【０２１５】
［第７の実施形態］
以下、本発明の第７の実施形態について、図１３を用いて説明する。
本実施形態の太陽光発電装置７００の基本構成は第６の実施形態と同一であり、反射ミラーの配置位置が互いに異なる太陽電池モジュールを用いた点が第６の実施形態と異なる。
図１３は、第７の実施形態に係る太陽光発電装置７００の概略構成を示す平面図である。なお、図１３においては、便宜上、フレームの図示を省略している。図１３において、第６の実施形態で用いた図と共通の構成要素には同一の符号を付し、詳細な説明を省略する。
【０２１６】
図１３に示すように、太陽光発電装置７００は、太陽電池モジュール接合体７１０と、パワーコンディショナー７１２と、を備えている。
【０２１７】
本実施形態では、一例として、第１の太陽電池モジュール７０１ａ及び第３の太陽電池モジュール７０１ｃにおける反射ミラー６０３ｂの配置位置と、第２の太陽電池モジュール７０１ｂにおける反射ミラー６０３ｂの配置位置とが互いに異なる例を挙げて説明する。
【０２１８】
本実施形態の太陽電池モジュール接合体７１０は、第１の太陽電池モジュール７０１ａ、第２の太陽電池モジュール７０１ｂ、及び第３の太陽電池モジュール７０１ｃがパワーコンディショナー７１２の側からこの順に配置されている。
【０２１９】
なお、本実施形態の第１の太陽電池モジュール７０１ａ及び第３の太陽電池モジュール７０１ｃは、第６の実施形態に係る太陽電池モジュール６０１に相当する。本実施形態の第２の太陽電池モジュール７０１ｂは、第６の実施形態に係る太陽電池モジュール６０１を集光板２の中心回りに１８０°回転させたものに相当する。
【０２２０】
本実施形態においては、第２の太陽電池モジュール７０１ｂにおける反射ミラー６０３ｂの反射面と反対側の面と、第１の太陽電池モジュール７０１ａにおける反射ミラー６０３ｂの反射面と反対側の面とが対向して配置されている。一方、第２の太陽電池モジュール７０１ｂにおける第４の太陽電池素子６０３ｄの受光面と反対側の面と、第３の太陽電池モジュール７０１ｃにおける第４の太陽電池素子６０３ｄの受光面と反対側の面とが対向して配置されている。
【０２２１】
本実施形態においては、第１の太陽電池モジュール７０１ａにおける第１の太陽電池素子６０３ａにより第１の電流経路Ｒ１が構成されている。
【０２２２】
第１の太陽電池モジュール７０１ａにおける第３の太陽電池素子６０３ｃの負端子６０３ｃ（−）と第４の太陽電池素子６０３ｄの正端子６０３ｄ（＋）とが、接続配線７１１ａを介して互いに直列接続されている。第１の太陽電池モジュール７０１ａにおける第３の太陽電池素子６０３ｃと第４の太陽電池素子６０３ｄとにより第２の電流経路Ｒ２が構成されている。
【０２２３】
第２の太陽電池モジュール７０１ｂにおける第３の太陽電池素子６０３ｃにより第３の電流経路Ｒ３が構成されている。
【０２２４】
第２の太陽電池モジュール７０１ｂにおける第４の太陽電池素子６０３ｄの負端子６０３ｄ（−）と第１の太陽電池素子６０３ａの正端子６０３ａ（＋）とが、接続配線７１１ｂを介して互いに直列接続されている。第２の太陽電池モジュール７０１ｂにおける第４の太陽電池素子６０３ｄと第３の太陽電池素子６０３ｃとにより第４の電流経路Ｒ４が構成されている。
【０２２５】
第３の太陽電池モジュール７０１ｃにおける第１の太陽電池素子６０３ａの負端子６０３ａ（−）と第３の太陽電池素子６０３ｃの正端子６０３ｃ（＋）とが、接続配線７１１ｃを介して互いに直列接続されている。
【０２２６】
本実施形態においては、接続配線７１１ｃが第３の太陽電池モジュール７０１ｃにおける反射ミラー６０３ｂの反射面と反対側の面に設けられている。これにより、接続配線７１１ｃが反射ミラー６０３ｂの反射面に設けられる場合に比べて、反射ミラー６０３ｂの反射効率が低減するのを抑制することができる。
【０２２７】
第３の太陽電池モジュール７０１ｃにおける第３の太陽電池素子６０３ｃの負端子６０３ｃ（−）と第４の太陽電池素子６０３ｄの正端子６０３ｄ（＋）とが、接続配線７１１ｄを介して互いに直列接続されている。第３の太陽電池モジュール７０１ｃにおける第１の太陽電池素子６０３ａと第３の太陽電池素子６０３ｃと第４の太陽電池素子６０３ｄとにより第５の電流経路Ｒ５が構成されている。
【０２２８】
本実施形態では、第１の太陽電池モジュール７０１ａの第１の電流経路Ｒ１の終端と第２の太陽電池モジュール７０１ｂの第３の電流経路Ｒ３の始端とが接続配線７１１ｅを介して互いに直列接続されている。具体的には、第１の太陽電池モジュール７０１ａにおける第１の太陽電池素子６０３ａの負端子６０３ａ（−）と第２の太陽電池モジュール７０１ｂにおける第３の太陽電池素子６０３ｃの正端子６０３ｃ（＋）とが、接続配線７１１ｅを介して互いに直列接続されている。
【０２２９】
第１の太陽電池モジュール７０１ａの第２の電流経路Ｒ２の始端と第２の太陽電池モジュール７０１ｂの第４の電流経路Ｒ４の終端とが接続配線７１１ｆを介して互いに直列接続されている。具体的には、第１の太陽電池モジュール７０１ａにおける第３の太陽電池素子６０３ｃの正端子６０３ｃ（＋）と第２の太陽電池モジュール７０１ｂにおける第３の太陽電池素子６０３ｃの負端子６０３ｃ（−）とが、接続配線７１１ｆを介して互いに直列接続されている。
【０２３０】
第２の太陽電池モジュール７０１ｂの第３の電流経路Ｒ３の終端と第３の太陽電池モジュール７０１ｃの第５の電流経路Ｒ５の始端とが接続配線７１１ｇを介して互いに直列接続されている。具体的には、第２の太陽電池モジュール７０１ｂにおける第１の太陽電池素子６０３ａの負端子６０３ａ（−）と第３の太陽電池モジュール７０１ｃにおける第１の太陽電池素子６０３ａの正端子６０３ａ（＋）とが、接続配線７１１ｇを介して互いに直列接続されている。
【０２３１】
第２の太陽電池モジュール７０１ｂの第４の電流経路Ｒ４の始端と第３の太陽電池モジュール７０１ｃの第５の電流経路Ｒ５の終端とが接続配線７１１ｈを介して互いに直列接続されている。具体的には、第２の太陽電池モジュール７０１ｂにおける第３の太陽電池素子６０３ｃの正端子６０３ｃ（＋）と第３の太陽電池モジュール７０１ｃにおける第４の太陽電池素子６０３ｄの負端子６０３ｄ（−）とが、接続配線７１１ｈを介して互いに直列接続されている。
【０２３２】
このように本実施形態の太陽電池モジュール接合体６１０においては、第１の太陽電池モジュール７０１ａの第１の電流経路Ｒ１、第２の太陽電池モジュール７０１ｂの第３の電流経路Ｒ３、第３の太陽電池モジュール７０１ｃの第５の電流経路Ｒ５、第２の太陽電池モジュール７０１ｂの第４の電流経路Ｒ４、及び第１の太陽電池モジュール７０１ａの第２の電流経路Ｒ２、がこの順に直列接続されている。
【０２３３】
パワーコンディショナー７１２の正端子７１２（＋）と第１の太陽電池モジュール７０１ａにおける第１の太陽電池素子６０３ａの正端子６０３ａ（＋）とが、接続配線７１３ａを介して互いに接続されている。パワーコンディショナー７１２の負端子７１２（−）と第１の太陽電池モジュール７０１ａにおける第４の太陽電池素子６０３ｄの負端子６０３ｄ（−）とが、接続配線７１３ｂを介して互いに接続されている。
【０２３４】
本実施形態においては、第２の太陽電池モジュール７０１ｂにおける反射ミラー６０３ｂの反射面と反対側の面と、第１の太陽電池モジュール７０１ａにおける反射ミラー６０３ｂの反射面と反対側の面とが対向して配置されている。そのため、集光板２の第２の端面２ｂに反射ミラー６０３ｂが設けられた構成において、第６の実施形態に係る構成に比べて、第１の太陽電池モジュール７０１ａと第２の太陽電池モジュール７０１ｂとの間及び第２の太陽電池モジュール７０１ｂと第３の太陽電池モジュール７０１ｃとの間の接続配線を短くすることができる。つまり、第１の太陽電池モジュール７０１ａと第２の太陽電池モジュール７０１ｂとの間及び第２の太陽電池モジュール７０１ｂと第３の太陽電池モジュール７０１ｃとの間においては、接続配線を反射ミラー６０３ｂの反射面と反対側の面に沿って引き回す必要がない。よって、本実施形態によれば、第６の実施形態に係る構成に比べて、接続配線７１１ｅ，７１１ｈを短くすることができる。したがって、本実施形態においては、配線抵抗を小さくし、電力の損失を低減することができる、接続配線のコストを低減できる、配線の接続作業が容易となる、製品コスト、製品サイズ、配線の接続作業性の面から好適である、といった効果が大きくなる。
【０２３５】
［第８の実施形態］
以下、本発明の第８の実施形態について、図１４及び図１５を用いて説明する。
本実施形態の太陽光発電装置８００の基本構成は第１の実施形態と同一であり、集光板の第１の主面に太陽電池素子が設けられた点が第１の実施形態と異なる。
【０２３６】
図１４は、第８の実施形態に係る太陽電池モジュール８０１の要部を拡大した断面図である。なお、図１４においては、便宜上、太陽電池素子の端子及び接続配線の図示を省略している。
図１４においては、太陽電池モジュール８０１の構成として、第１の太陽電池モジュール８０１ａの構成を挙げて説明する。後述する第２の太陽電池モジュール８０１ｂ及び第３の太陽電池モジュール８０１ｃの構成は、第１の太陽電池モジュール８０１ａの構成と同様の構成を有する。
図１４においては、太陽電池素子８０３の配置構成として、第４の太陽電池素子８０３ｄの配置構成を挙げて説明する。第１の太陽電池素子８０３ａ、第２の太陽電池素子８０３ｂ、及び第３の太陽電池素子８０３ｃの配置構成は、第４の太陽電池素子８０３ｄの配置構成と同様の構成を有する。
また、第１の反射層８０７ａ、第２の反射層８０７ｂ、反射ミラー８０７ｃ、第１の緩衝層８０８、第２の緩衝層８０９の配置構成として、第４の端面２ｄの側における配置構成を挙げて説明する。第１の端面２ａの側、第２の端面２ｃの側、及び第３の端面の側における第１の反射層８０７ａ、第２の反射層８０７ｂ、反射ミラー８０７ｃ、第１の緩衝層８０８、第２の緩衝層８０９の配置構成は、第４の端面２ｄの側における配置構成と同様の構成を有する。
図１４において、第１の実施形態で用いた図と共通の構成要素には同一の符号を付し、詳細な説明を省略する。
【０２３７】
図１４に示すように、本実施形態の集光板２は、外部から入射した光を集光して第１の主面２ｓから射出する。第４の太陽電池素子８０３ｄは、集光板２の第１の主面２ｓに配置されている。第４の太陽電池素子８０３ｄは、集光板２の第１の主面２ｓから射出された光を受光する。
【０２３８】
第４の太陽電池素子８０３ｄは、集光板２の第１の主面２ｓに透明接着剤８０５により接合されている。透明接着剤８０５は、エチレン・酢酸ビニル共重合体（ＥＶＡ）を用いることができる。透明接着剤８０５の屈折率は、集光板２と同程度の１．５０となっている。なお、透明接着剤８０５としては、エポキシ系接着剤、シリコーン系接着剤、ポリイミド系接着剤等の熱硬化性接着剤を用いてもよい。
【０２３９】
反射ミラー８０７ｃは、集光板２の第４の端面２ｄに配置されている。反射ミラー８０７ｃは、集光板２の内部からその外部に向けて進行する光（蛍光体２１から放射された光）を集光板２の内部に向けて反射する。反射ミラー８０７ｃとしては、ＥＳＲ（Enhanced Specular Reflector）反射フィルム（３Ｍ社製）等の誘電体多層膜からなる反射層を用いることができる。本材料を用いれば、可視光下において９８％以上の高い反射率を実現できる。なお、反射ミラー８０７ｃとしては、アルミニウム（Ａｌ）、銅（Ｃｕ）、金（Ａｕ）、銀（Ａｇ）等の金属膜からなる反射層を用いてもよい。
【０２４０】
フレーム８０４は、天板部８０４ａと、底板部８０４ｂと、側壁部８０４ｃと、を備えている。
【０２４１】
天板部８０４ａは、第４の太陽電池素子８０３ｄを覆って形成されている。天板部８０４ａの第１の端部は側壁部８０４ｃに接続されている。天板部８０４ａの第２の端部は集光板２の第４の太陽電池素子８０３ｄを超える部分まで延在している。底板部８０４ｂは、集光板２を挟んで天板部８０４ａと対向して配置されている。底板部８０４ｂの第１の端部は側壁部８０４ｃに接続されている。底板部８０４ｂの第２の端部は集光板２の第２の主面２ｆの第４の端面２ｄ側の端部まで延在している。底板部８０４ｂの集光板２の主面に平行な方向の長さは、天板部８０４ａの集光板２の主面に平行な方向の長さと概ね等しくなっている。
【０２４２】
反射ミラー８０７ｃは、フレーム８０４の側壁部８０４ｃの内壁面に接着剤８０６により接合されている。接着剤８０６は、エチレン・酢酸ビニル共重合体（ＥＶＡ）、エポキシ系接着剤、シリコーン系接着剤、ポリイミド系接着剤等の熱硬化性接着剤が好適である。
【０２４３】
フレーム８０４の天板部８０４ａの第２の端部と集光板２の第１の主面２ｓとの間には、第１の反射層８０７ａ及び第１の緩衝層８０８が設けられている。
【０２４４】
第１の反射層８０７ａの反射面は集光板２の第１の主面２ｓと対向している。第１の反射層８０７ａは、集光板２の内部からその外部に向けて進行する光（蛍光体２１から放射された光）を集光板２の内部に向けて反射する。第１の反射層８０７ａとしては、ＥＳＲ等の誘電体多層膜からなる反射層、Ａｌ、Ｃｕ、Ａｕ、Ａｇ等の金属膜からなる反射層を用いることができる。
【０２４５】
第１の緩衝層８０８は、第１の反射層８０７ａとフレーム８０４の天板部８０４ａの第２の端部との間に配置されている。第１の緩衝層８０８は、フレーム８０４の天板部８０４ａの第２の端部と集光板２の第１の主面２ｓとの間に加わる応力を吸収する。第１の緩衝層８０８としては、シリコンゴムシート等のゴムシートを用いることができる。この他にも、第１の緩衝層８０８の形成材料としては種々の材料を用いることができる。特に、高い防水性を兼ね備えた材料を用いることが好ましい。
【０２４６】
フレーム８０４の底板部８０４ｂの第２の端部と集光板２の第２の主面２ｆとの間には、第２の反射層８０７ｂ及び第２の緩衝層８０９が設けられている。
【０２４７】
第２の反射層８０７ｂの反射面は集光板２の第２の主面２ｆと対向している。第２の反射層８０７ｂは、集光板２の内部からその外部に向けて進行する光（蛍光体２１から放射された光）を集光板２の内部に向けて反射する。第２の反射層８０７ｂとしては、第１の反射層８０７ａと同様のものを用いることができる。
【０２４８】
第２の緩衝層８０９は、第２の反射層８０７ｂとフレーム８０４の底板部８０４ｂの第２の端部との間に配置されている。第２の緩衝層８０９は、フレーム８０４の底板部８０４ｂの第２の端部と集光板２の第２の主面２ｆとの間に加わる応力を吸収する。第２の緩衝層８０９としては、第１の緩衝層８０８と同様のものを用いることができる。
【０２４９】
図１５は、第８の実施形態に係る太陽光発電装置８００の概略構成を示す平面図である。なお、図１５においては、便宜上、フレーム８０４等の図示を省略している。図１５において、第１の実施形態で用いた図と共通の構成要素には同一の符号を付し、詳細な説明を省略する。
【０２５０】
図１５に示すように、太陽光発電装置８００は、太陽電池モジュール接合体８１０と、パワーコンディショナー８１２と、を備えている。
【０２５１】
本実施形態では、一例として、１つの太陽電池モジュール８０１につき４つの太陽電池素子８０３が集光板２の第１の主面２ｓに配置されている例を挙げて説明する。
【０２５２】
本実施形態の太陽電池モジュール接合体８１０は、第１の太陽電池モジュール８０１ａ、第２の太陽電池モジュール８０１ｂ、及び第３の太陽電池モジュール８０１ｃがパワーコンディショナー８１２の側からこの順に配置されている。
【０２５３】
本実施形態においては、第１の太陽電池モジュール８０１ａにおける第１の太陽電池素子８０３ａの負端子８０３ａ（−）と第２の太陽電池素子８０３ｂの正端子８０３ｂ（＋）とが、接続配線８１１ａを介して互いに直列接続されている。第１の太陽電池モジュール８０１ａにおける第１の太陽電池素子８０３ａと第２の太陽電池素子８０３ｂとにより第１の電流経路Ｒ１が構成されている。
【０２５４】
第１の太陽電池モジュール８０１ａにおける第３の太陽電池素子８０３ｃの負端子８０３ｃ（−）と第４の太陽電池素子８０３ｄの正端子８０３ｄ（＋）とが、接続配線８１１ｂを介して互いに直列接続されている。第１の太陽電池モジュール８０１ａにおける第３の太陽電池素子８０３ｃと第４の太陽電池素子８０３ｄとにより第２の電流経路Ｒ２が構成されている。
【０２５５】
第２の太陽電池モジュール８０１ｂにおける第４の太陽電池素子８０３ｄの負端子８０３ｄ（−）と第１の太陽電池素子８０３ａの正端子８０３ａ（＋）とが、接続配線８１１ｃを介して互いに直列接続されている。第２の太陽電池モジュール８０１ｂにおける第４の太陽電池素子８０３ｄと第１の太陽電池素子８０３ａとにより第３の電流経路Ｒ３が構成されている。
【０２５６】
第２の太陽電池モジュール８０１ｂにおける第２の太陽電池素子８０３ｂの負端子８０３ｂ（−）と第３の太陽電池素子８０３ｃの正端子８０３ｃ（＋）とが、接続配線８１１ｄを介して互いに直列接続されている。第２の太陽電池モジュール８０１ｂにおける第２の太陽電池素子８０３ｂと第３の太陽電池素子８０３ｃとにより第４の電流経路Ｒ４が構成されている。
【０２５７】
第３の太陽電池モジュール８０１ｃにおける第１の太陽電池素子８０３ａの負端子８０３ａ（−）と第２の太陽電池素子８０３ｂの正端子８０３ｂ（＋）とが、接続配線８１１ｅを介して互いに直列接続されている。第３の太陽電池モジュール８０１ｃにおける第２の太陽電池素子８０３ｂの負端子８０３ｂ（−）と第３の太陽電池素子８０３ｃの正端子８０３ｃ（＋）とが、接続配線８１１ｆを介して互いに直列接続されている。第３の太陽電池モジュール８０１ｃにおける第３の太陽電池素子８０３ｃの負端子８０３ｃ（−）と第４の太陽電池素子８０３ｄの正端子８０３ｄ（＋）とが、接続配線８１１ｇを介して互いに直列接続されている。第３の太陽電池モジュール８０１ｃにおける第１の太陽電池素子８０３ａと第２の太陽電池素子８０３ｂと第３の太陽電池素子８０３ｃと第４の太陽電池素子８０３ｄとにより第５の電流経路Ｒ５が構成されている。
【０２５８】
本実施形態では、第１の太陽電池モジュール８０１ａの第１の電流経路Ｒ１の終端と第２の太陽電池モジュール８０１ｂの第３の電流経路Ｒ３の始端とが接続配線８１１ｈを介して互いに直列接続されている。具体的には、第１の太陽電池モジュール８０１ａにおける第２の太陽電池素子８０３ｂの負端子８０３ｂ（−）と第２の太陽電池モジュール８０１ｂにおける第４の太陽電池素子８０３ｄの正端子８０３ｄ（＋）とが、接続配線８１１ｈを介して互いに直列接続されている。
【０２５９】
第１の太陽電池モジュール８０１ａの第２の電流経路Ｒ２の始端と第２の太陽電池モジュール８０１ｂの第４の電流経路Ｒ４の終端とが接続配線８１１ｉを介して互いに直列接続されている。具体的には、第１の太陽電池モジュール８０１ａにおける第３の太陽電池素子８０３ｃの正端子８０３ｃ（＋）と第２の太陽電池モジュール８０１ｂにおける第３の太陽電池素子８０３ｃの負端子８０３ｃ（−）とが、接続配線８１１ｉを介して互いに直列接続されている。
【０２６０】
第２の太陽電池モジュール８０１ｂの第３の電流経路Ｒ３の終端と第３の太陽電池モジュール８０１ｃの第５の電流経路Ｒ５の始端とが接続配線８１１ｊを介して互いに直列接続されている。具体的には、第２の太陽電池モジュール８０１ｂにおける第１の太陽電池素子８０３ａの負端子８０３ａ（−）と第３の太陽電池モジュール８０１ｃにおける第１の太陽電池素子８０３ａの正端子８０３ａ（＋）とが、接続配線８１１ｊを介して互いに直列接続されている。
【０２６１】
第２の太陽電池モジュール８０１ｂの第４の電流経路Ｒ４の始端と第３の太陽電池モジュール８０１ｃの第５の電流経路Ｒ５の終端とが接続配線８１１ｋを介して互いに直列接続されている。具体的には、第２の太陽電池モジュール８０１ｂにおける第２の太陽電池素子８０３ｂの正端子８０３ｂ（＋）と第３の太陽電池モジュール８０１ｃにおける第４の太陽電池素子８０３ｄの負端子８０３ｄ（−）とが、接続配線８１１ｋを介して互いに直列接続されている。
【０２６２】
このように本実施形態の太陽電池モジュール接合体８１０においては、第１の太陽電池モジュール８０１ａの第１の電流経路Ｒ１、第２の太陽電池モジュール８０１ｂの第３の電流経路Ｒ３、第３の太陽電池モジュール８０１ｃの第５の電流経路Ｒ５、第２の太陽電池モジュール８０１ｂの第４の電流経路Ｒ４、及び第１の太陽電池モジュール８０１ａの第２の電流経路Ｒ２、がこの順に直列接続されている。
【０２６３】
パワーコンディショナー８１２の正端子８１２（＋）と第１の太陽電池モジュール８０１ａにおける第１の太陽電池素子８０３ａの正端子８０３ａ（＋）とが、接続配線８１３ａを介して互いに接続されている。パワーコンディショナー８１２の負端子８１２（−）と第１の太陽電池モジュール８０１ａにおける第４の太陽電池素子８０３ｄの負端子８０３ｄ（−）とが、接続配線８１３ｂを介して互いに接続されている。
【０２６４】
本実施形態のように集光板２の第１の主面２ｓに４つの太陽電池素子が設けられた構成であっても、配線抵抗を小さくし、電力の損失を低減することができる、接続配線のコストを低減できる、配線の接続作業が容易となる、製品コスト、製品サイズ、配線の接続作業性の面から好適である、といった第１の実施形態に係る場合と同様の効果を奏する。
【０２６５】
［第９の実施形態］
以下、本発明の第９の実施形態について、図１６を用いて説明する。
図１６は、第９の実施形態に係る太陽光発電装置９００の概略構成を示す平面図である。
【０２６６】
図１６に示すように、太陽光発電装置９００は、太陽電池モジュール接合体９１０と、パワーコンディショナー９１２と、を備えている。
【０２６７】
本実施形態の太陽電池モジュール接合体９１０は、第１の太陽電池モジュール９０１ａ及び第２の太陽電池モジュール９０１ｂがパワーコンディショナー９１２の側からこの順に配置されている。
【０２６８】
本実施形態では、太陽電池モジュール９０１に集光板が設けられていない。すなわち、本実施形態では、太陽電池素子９０３が直接外部の光を受光する構成となっている。本実施形態では、一例として、一つの太陽電池モジュール９０１につき４つの太陽電池素子９０３が支持板９０２の上面に配置されている例を挙げて説明する。
【０２６９】
本実施形態においては、第１の太陽電池モジュール９０１ａにおける第１の太陽電池素子９０３ａの負端子９０３ａ（−）と第２の太陽電池素子９０３ｂの正端子９０３ｂ（＋）とが、接続配線９１１ａを介して互いに直列接続されている。第１の太陽電池モジュール９０１ａにおける第１の太陽電池素子９０３ａと第２の太陽電池素子９０３ｂとにより第１の電流経路Ｒ１が構成されている。
【０２７０】
第１の太陽電池モジュール９０１ａにおける第３の太陽電池素子９０３ｃの負端子９０３ｃ（−）と第４の太陽電池素子９０３ｄの正端子９０３ｄ（＋）とが、接続配線９１１ｂを介して互いに直列接続されている。第１の太陽電池モジュール９０１ａにおける第３の太陽電池素子９０３ｃと第４の太陽電池素子９０３ｄとにより第２の電流経路Ｒ２が構成されている。
【０２７１】
第２の太陽電池モジュール９０１ｂにおける第１の太陽電池素子９０３ａの負端子９０３ａ（−）と第２の太陽電池素子９０３ｂの正端子９０３ｂ（＋）とが、接続配線９１１ｃを介して互いに直列接続されている。第２の太陽電池モジュール９０１ｂにおける第２の太陽電池素子９０３ｂの負端子９０３ｂ（−）と第３の太陽電池素子９０３ｃの正端子９０３ｃ（＋）とが、接続配線９１１ｄを介して互いに直列接続されている。第２の太陽電池モジュール９０１ｂにおける第３の太陽電池素子９０３ｃの負端子９０３ｃ（−）と第４の太陽電池素子９０３ｄの正端子９０３ｄ（＋）とが、接続配線９１１ｅを介して互いに直列接続されている。第２の太陽電池モジュール９０１ｂにおける第１の太陽電池素子９０３ａと第２の太陽電池素子９０３ｂと第３の太陽電池素子９０３ｃと第４の太陽電池素子９０３ｄとにより第３の電流経路Ｒ３が構成されている。
【０２７２】
本実施形態では、第１の太陽電池モジュール９０１ａの第１の電流経路Ｒ１の終端と第２の太陽電池モジュール９０１ｂの第３の電流経路Ｒ３の始端とが接続配線９１１ｆを介して互いに直列接続されている。具体的には、第１の太陽電池モジュール９０１ａにおける第２の太陽電池素子９０３ｂの負端子９０３ｂ（−）と第２の太陽電池モジュール９０１ｂにおける第１の太陽電池素子９０３ａの正端子９０３ａ（＋）とが、接続配線９１１ｆを介して互いに直列接続されている。
【０２７３】
第１の太陽電池モジュール９０１ａの第２の電流経路Ｒ２の始端と第２の太陽電池モジュール９０１ｂの第３の電流経路Ｒ３の終端とが接続配線９１１ｇを介して互いに直列接続されている。具体的には、第１の太陽電池モジュール９０１ａにおける第３の太陽電池素子９０３ｃの正端子９０３ｃ（＋）と第２の太陽電池モジュール９０１ｂにおける第４の太陽電池素子９０３ｄの負端子９０３ｄ（−）とが、接続配線９１１ｇを介して互いに直列接続されている。
【０２７４】
このように本実施形態の太陽電池モジュール接合体９１０においては、第１の太陽電池モジュール９０１ａの第１の電流経路Ｒ１、第２の太陽電池モジュール９０１ｂの第３の電流経路Ｒ３、及び第１の太陽電池モジュール９０１ａの第２の電流経路Ｒ２、がこの順に直列接続されている。
【０２７５】
パワーコンディショナー９１２の正端子９１２（＋）と第１の太陽電池モジュール９０１ａにおける第１の太陽電池素子９０３ａの正端子９０３ａ（＋）とが、接続配線９１３ａを介して互いに接続されている。パワーコンディショナー９１２の負端子９１２（−）と第１の太陽電池モジュール９０１ａにおける第４の太陽電池素子９０３ｄの負端子９０３ｄ（−）とが、接続配線９１３ｂを介して互いに接続されている。
【０２７６】
本実施形態のように太陽電池モジュール９０１に集光板が設けられていない構成であっても、配線抵抗を小さくし、電力の損失を低減することができる、接続配線のコストを低減できる、配線の接続作業が容易となる、製品コスト、製品サイズ、配線の接続作業性の面から好適である、といった第１の実施形態に係る場合と同様の効果を奏する。
【０２７７】
［第１０の実施形態］
以下、本発明の第１０の実施形態について、図１７を用いて説明する。
本実施形態の太陽光発電装置１５０の基本構成は第１の実施形態と同一であり、太陽電池モジュールの配置構成が第１の実施形態と異なる。
図１７は、第１０の実施形態に係る太陽光発電装置１５０の概略構成を示す平面図である。なお、図１７においては、便宜上、フレームの図示を省略している。図１７において、第１の実施形態で用いた図と共通の構成要素には同一の符号を付し、詳細な説明を省略する。
【０２７８】
図１７に示すように、太陽光発電装置１５０は、太陽電池モジュール接合体１６０と、パワーコンディショナー１６２と、を備えている。
【０２７９】
本実施形態においては、一例として、８つの太陽電池モジュール１が２行４列に配置されている例を挙げて説明する。具体的には、第１の太陽電池モジュール１ａ、第２の太陽電池モジュール１ｂ、第３の太陽電池モジュール１ｃ、第４の太陽電池モジュール１ｄ、第５の太陽電池モジュール１ｅ、第６の太陽電池モジュール１ｆ、第７の太陽電池モジュール１ｇ、第８の太陽電池モジュール１ｈ、がパワーコンディショナー１６２の側からこの順に配置されている。
【０２８０】
以下、本実施形態の太陽電池モジュールの配置構成について詳細に説明する。
本実施形態においては、第１の太陽電池モジュール１ａにおける第１の太陽電池素子３ａの負端子３ａ（−）と第２の太陽電池素子３ｂの正端子３ｂ（＋）とが、接続配線１６１ａ１を介して互いに直列接続されている。第１の太陽電池モジュール１ａにおける第１の太陽電池素子３ａと第２の太陽電池素子３ｂとにより第１の電流経路Ｒ１が構成されている。
【０２８１】
第１の太陽電池モジュール１ａにおける第３の太陽電池素子３ｃの負端子３ｃ（−）と第４の太陽電池素子３ｄの正端子３ｄ（＋）とが、接続配線１６１ａ２を介して互いに直列接続されている。第１の太陽電池モジュール１ａにおける第３の太陽電池素子３ｃと第４の太陽電池素子３ｄとにより第２の電流経路Ｒ２が構成されている。
【０２８２】
第２の太陽電池モジュール１ｂにおける第４の太陽電池素子３ｄの負端子３ｄ（−）と第１の太陽電池素子３ａの正端子３ａ（＋）とが、接続配線１６１ｂ１を介して互いに直列接続されている。第２の太陽電池モジュール１ｂにおける第４の太陽電池素子３ｄと第１の太陽電池素子３ａとにより第３の電流経路Ｒ３が構成されている。
【０２８３】
第２の太陽電池モジュール１ｂにおける第２の太陽電池素子３ｂの負端子３ｂ（−）と第３の太陽電池素子３ｃの正端子３ｃ（＋）とが、接続配線１６１ｂ２を介して互いに直列接続されている。第２の太陽電池素子３ｂと第３の太陽電池素子３ｃとにより第４の電流経路Ｒ４が構成されている。
【０２８４】
本実施形態においては、第３の太陽電池モジュール１ｃにおける第１の太陽電池素子３ａにより第５の電流経路Ｒ５が構成されている。
【０２８５】
第３の太陽電池モジュール１ｃにおける第２の太陽電池素子３ｂの負端子３ｂ（−）と第３の太陽電池素子３ｃの正端子３ｃ（＋）とが、接続配線１６１ｃ１を介して互いに直列接続されている。第３の太陽電池モジュール１ｃにおける第３の太陽電池素子３ｃの負端子３ｃ（−）と第４の太陽電池素子３ｄの正端子３ｄ（＋）とが、接続配線１６１ｃ２を介して互いに直列接続されている。第３の太陽電池モジュール１ｃにおける第２の太陽電池素子３ｂと第３の太陽電池素子３ｃと第４の太陽電池素子３ｄとにより第６の電流経路Ｒ６が構成されている。
【０２８６】
なお、本実施形態では、第３の太陽電池モジュール１ｃにおける第１の太陽電池素子３ａ（一つの太陽電池素子）により第５の電流経路Ｒ５が構成されている例を挙げて説明したが、これに限らない。例えば、第３の太陽電池モジュール１ｃにおける第１の太陽電池素子３ａと第２の太陽電池素子３ｂ（二つの太陽電池素子）により第５の電流経路Ｒ５が構成されていてもよい。
また、第１の太陽電池モジュール１ａ、第２の太陽電池モジュール１ｂ等の他の太陽電池モジュールについても、第３の太陽電池モジュール１ｃと同様、一つの太陽電池素子により電流経路が構成されていてもよい。
また、全ての太陽電池モジュールにおいて、本実施形態の第３の太陽電池モジュール１ｃのような電流経路で構成されていてもよい。また、太陽電池モジュール１ａのみ本実施形態に記載の電流経路で構成され、そのほかの太陽電池モジュールは、本実施形態の第３の太陽電池モジュール１ｃのような電流経路で構成されていてもよい。つまり、パワーコンディショナーから第１の太陽電池モジュール１ａに接続される接続配線１６３ａ，１６３ｂ、若しくは第４の太陽電池モジュール１ｄから第５の太陽電池モジュール１ｅに接続される接続配線１６１ｏ，１６１ｐを短くすることができれば、太陽光発電装置内における各太陽電池モジュールの電流経路の構成は、どのような組み合わせで構成されていても構わない。
【０２８７】
第４の太陽電池モジュール１ｄにおける第１の太陽電池素子３ａの負端子３ａ（−）と第２の太陽電池素子３ｂの正端子３ｂ（＋）とが、接続配線１６１ｄ１を介して互いに直列接続されている。第４の太陽電池モジュール１ｄにおける第１の太陽電池素子３ａと第２の太陽電池素子３ｂとにより第７の電流経路Ｒ７が構成されている。
【０２８８】
第４の太陽電池モジュール１ｄにおける第３の太陽電池素子３ｃの負端子３ｃ（−）と第４の太陽電池素子３ｄの正端子３ｄ（＋）とが、接続配線１６１ｄ２を介して互いに直列接続されている。第３の太陽電池素子３ｃと第４の太陽電池素子３ｄとにより第８の電流経路Ｒ８が構成されている。
【０２８９】
第５の太陽電池モジュール１ｅにおける第２の太陽電池素子３ｂの負端子３ｂ（−）と第３の太陽電池素子３ｃの正端子３ｃ（＋）とが、接続配線１６１ｅ１を介して互いに直列接続されている。第５の太陽電池モジュール１ｅにおける第２の太陽電池素子３ｂと第３の太陽電池素子３ｃとにより第９の電流経路Ｒ９が構成されている。
【０２９０】
第５の太陽電池モジュール１ｅにおける第４の太陽電池素子３ｄの負端子３ｄ（−）と第１の太陽電池素子３ａの正端子３ａ（＋）とが、接続配線１６１ｅ２を介して互いに直列接続されている。第５の太陽電池モジュール１ｅにおける第４の太陽電池素子３ｄと第１の太陽電池素子３ａとにより第１０の電流経路Ｒ１０が構成されている。
【０２９１】
第６の太陽電池モジュール１ｆにおける第３の太陽電池素子３ｃの負端子３ｃ（−）と第４の太陽電池素子３ｄの正端子３ｄ（＋）とが、接続配線１６１ｆ１を介して互いに直列接続されている。第６の太陽電池モジュール１ｆにおける第３の太陽電池素子３ｃと第４の太陽電池素子３ｄとにより第１１の電流経路Ｒ１１が構成されている。
【０２９２】
第６の太陽電池モジュール１ｆにおける第１の太陽電池素子３ａの負端子３ａ（−）と第２の太陽電池素子３ｂの正端子３ｂ（＋）とが、接続配線１６１ｆ２を介して互いに直列接続されている。第６の太陽電池モジュール１ｆにおける第１の太陽電池素子３ａと第２の太陽電池素子３ｂとにより第１２の電流経路Ｒ１２が構成されている。
【０２９３】
第７の太陽電池モジュール１ｇにおける第２の太陽電池素子３ｂの負端子３ｂ（−）と第３の太陽電池素子３ｃの正端子３ｃ（＋）とが、接続配線１６１ｇ１を介して互いに直列接続されている。第７の太陽電池モジュール１ｇにおける第２の太陽電池素子３ｂと第３の太陽電池素子３ｃとにより第１３の電流経路Ｒ１３が構成されている。
【０２９４】
第７の太陽電池モジュール１ｇにおける第４の太陽電池素子３ｄの負端子３ｄ（−）と第１の太陽電池素子３ａの正端子３ａ（＋）とが、接続配線１６１ｇ２を介して互いに直列接続されている。第７の太陽電池モジュール１ｇにおける第４の太陽電池素子３ｄと第１の太陽電池素子３ａとにより第１４の電流経路Ｒ１４が構成されている。
【０２９５】
第８の太陽電池モジュール１ｈにおける第３の太陽電池素子３ｃの負端子３ｃ（−）と第４の太陽電池素子３ｄの正端子３ｄ（＋）とが、接続配線１６１ｈ１を介して互いに直列接続されている。第８の太陽電池モジュール１ｈにおける第３の太陽電池素子３ｃと第４の太陽電池素子３ｄとにより第１５の電流経路Ｒ１５が構成されている。
【０２９６】
第８の太陽電池モジュール１ｈにおける第１の太陽電池素子３ａの負端子３ａ（−）と第２の太陽電池素子３ｂの正端子３ｂ（＋）とが、接続配線１６１ｈ２を介して互いに直列接続されている。第８の太陽電池モジュール１ｆにおける第１の太陽電池素子３ａと第２の太陽電池素子３ｂとにより第１６の電流経路Ｒ１６が構成されている。
【０２９７】
本実施形態では、第１の太陽電池モジュール１ａの第１の電流経路Ｒ１の終端と第２の太陽電池モジュール１ｂの第３の電流経路Ｒ３の始端とが接続配線１６１ｉを介して互いに直列接続されている。具体的には、第１の太陽電池モジュール１ａにおける第２の太陽電池素子３ｂの負端子３ｂ（−）と第２の太陽電池モジュール１ｂにおける第４の太陽電池素子３ｄの正端子３ｄ（＋）とが、接続配線１６１ｉを介して互いに直列接続されている。
【０２９８】
第１の太陽電池モジュール１ａの第２の電流経路Ｒ２の始端と第２の太陽電池モジュール１ｂの第４の電流経路Ｒ４の終端とが接続配線１６１ｊを介して互いに直列接続されている。具体的には、第１の太陽電池モジュール１ａにおける第３の太陽電池素子３ｃの正端子３ｃ（＋）と第２の太陽電池モジュール１ｂにおける第３の太陽電池素子３ｃの負端子３ｃ（−）とが、接続配線１６１ｉを介して互いに直列接続されている。
【０２９９】
第２の太陽電池モジュール１ｂの第３の電流経路Ｒ３の終端と第３の太陽電池モジュール１ｃの第５の電流経路Ｒ５の始端とが接続配線１６１ｋを介して互いに直列接続されている。具体的には、第２の太陽電池モジュール１ｂにおける第１の太陽電池素子３ａの負端子３ａ（−）と第３の太陽電池モジュール１ｃにおける第１の太陽電池素子３ａの正端子３ａ（＋）とが、接続配線１６１ｋを介して互いに直列接続されている。
【０３００】
第２の太陽電池モジュール１ｂの第４の電流経路Ｒ４の始端と第３の太陽電池モジュール１ｃの第６の電流経路Ｒ６の終端とが接続配線１６１ｌを介して互いに直列接続されている。具体的には、第２の太陽電池モジュール１ｂにおける第２の太陽電池素子３ｂの正端子３ｂ（＋）と第３の太陽電池モジュール１ｃにおける第４の太陽電池素子３ｄの負端子３ｄ（−）とが、接続配線１６１ｌを介して互いに直列接続されている。
【０３０１】
第３の太陽電池モジュール１ｃの第５の電流経路Ｒ５の終端と第４の太陽電池モジュール１ｄの第７の電流経路Ｒ７の始端とが接続配線１６１ｍを介して互いに直列接続されている。具体的には、第３の太陽電池モジュール１ｃにおける第１の太陽電池素子３ａの負端子３ａ（−）と第４の太陽電池モジュール１ｄにおける第１の太陽電池素子３ａの正端子３ａ（＋）とが、接続配線１６１ｍを介して互いに直列接続されている。
【０３０２】
第３の太陽電池モジュール１ｃの第６の電流経路Ｒ６の始端と第４の太陽電池モジュール１ｄの第８の電流経路Ｒ８の終端とが接続配線１６１ｎを介して互いに直列接続されている。具体的には、第３の太陽電池モジュール１ｃにおける第２の太陽電池素子３ｂの正端子３ｂ（＋）と第４の太陽電池モジュール１ｄにおける第４の太陽電池素子３ｄの負端子３ｄ（−）とが、接続配線１６１ｎを介して互いに直列接続されている。
【０３０３】
第４の太陽電池モジュール１ｄの第７の電流経路Ｒ７の終端と第５の太陽電池モジュール１ｅの第９の電流経路Ｒ９の始端とが接続配線１６１ｏを介して互いに直列接続されている。具体的には、第４の太陽電池モジュール１ｄにおける第２の太陽電池素子３ｂの負端子３ｄ（−）と第５の太陽電池モジュール１ｅにおける第２の太陽電池素子３ｂの正端子３ｂ（＋）とが、接続配線１６１ｏを介して互いに直列接続されている。
【０３０４】
第４の太陽電池モジュール１ｄの第８の電流経路Ｒ８の始端と第５の太陽電池モジュール１ｅの第１０の電流経路Ｒ１０の終端とが接続配線１６１ｐを介して互いに直列接続されている。具体的には、第４の太陽電池モジュール１ｄにおける第３の太陽電池素子３ｃの正端子３ｃ（＋）と第５の太陽電池モジュール１ｅにおける第１の太陽電池素子３ａの負端子３ａ（−）とが、接続配線１６１ｐを介して互いに直列接続されている。
【０３０５】
第５の太陽電池モジュール１ｅの第９の電流経路Ｒ９の終端と第６の太陽電池モジュール１ｆの第１１の電流経路Ｒ１１の始端とが接続配線１６１ｑを介して互いに直列接続されている。具体的には、第５の太陽電池モジュール１ｅにおける第３の太陽電池素子３ｃの負端子３ｃ（−）と第６の太陽電池モジュール１ｆにおける第３の太陽電池素子３ｃの正端子３ｃ（＋）とが、接続配線１６１ｑを介して互いに直列接続されている。
【０３０６】
第５の太陽電池モジュール１ｅの第１０の電流経路Ｒ１０の始端と第６の太陽電池モジュール１ｆの第１２の電流経路Ｒ１２の終端とが接続配線１６１ｒを介して互いに直列接続されている。具体的には、第５の太陽電池モジュール１ｅにおける第４の太陽電池素子３ｄの正端子３ｄ（＋）と第６の太陽電池モジュール１ｆにおける第２の太陽電池素子３ｂの負端子３ｂ（−）とが、接続配線１６１ｒを介して互いに直列接続されている。
【０３０７】
第６の太陽電池モジュール１ｆの第１１の電流経路Ｒ１１の終端と第７の太陽電池モジュール１ｇの第１３の電流経路Ｒ１３の始端とが接続配線１６１ｓを介して互いに直列接続されている。具体的には、第６の太陽電池モジュール１ｆにおける第４の太陽電池素子３ｄの負端子３ｄ（−）と第７の太陽電池モジュール１ｇにおける第２の太陽電池素子３ｂの正端子３ｂ（＋）とが、接続配線１６１ｓを介して互いに直列接続されている。
【０３０８】
第６の太陽電池モジュール１ｆの第１２の電流経路Ｒ１２の始端と第７の太陽電池モジュール１ｇの第１４の電流経路Ｒ１４の終端とが接続配線１６１ｔを介して互いに直列接続されている。具体的には、第６の太陽電池モジュール１ｆにおける第１の太陽電池素子３ａの正端子３ａ（＋）と第７の太陽電池モジュール１ｇにおける第１の太陽電池素子３ａの負端子３ａ（−）とが、接続配線１６１ｔを介して互いに直列接続されている。
【０３０９】
第７の太陽電池モジュール１ｇの第１３の電流経路Ｒ１３の終端と第８の太陽電池モジュール１ｈの第１５の電流経路Ｒ１５の始端とが接続配線１６１ｕを介して互いに直列接続されている。具体的には、第７の太陽電池モジュール１ｇにおける第３の太陽電池素子３ｃの負端子３ｃ（−）と第８の太陽電池モジュール１ｈにおける第３の太陽電池素子３ｃの正端子３ｃ（＋）とが、接続配線１６１ｕを介して互いに直列接続されている。
【０３１０】
第７の太陽電池モジュール１ｇの第１４の電流経路Ｒ１４の始端と第８の太陽電池モジュール１ｈの第１５の電流経路Ｒ１５の終端とが接続配線１６１ｖを介して互いに直列接続されている。具体的には、第７の太陽電池モジュール１ｇにおける第４の太陽電池素子３ｄの正端子３ｄ（＋）と第８の太陽電池モジュール１ｈにおける第２の太陽電池素子３ｂの負端子３ｂ（−）とが、接続配線１６１ｖを介して互いに直列接続されている。
【０３１１】
このように本実施形態の太陽電池モジュール接合体１６０においては、第１の太陽電池モジュール１ａの第１の電流経路Ｒ１、第２の太陽電池モジュール１ｂの第３の電流経路Ｒ３、第３の太陽電池モジュール１ｃの第５の電流経路Ｒ５、第４の太陽電池モジュール１ｄの第７の電流経路Ｒ７、第５の太陽電池モジュール１ｅの第９の電流経路Ｒ９、第６の太陽電池モジュール１ｆの第１１の電流経路Ｒ１１、第７の太陽電池モジュール１ｇの第１３の電流経路Ｒ１３、第８の太陽電池モジュール１ｈの第１５の電流経路Ｒ１５、第７の太陽電池モジュール１ｇの第１４の電流経路Ｒ１４、第６の太陽電池モジュール１ｆの第１２の電流経路Ｒ１２、第５の太陽電池モジュール１ｅの第１０の電流経路Ｒ１０、第４の太陽電池モジュール１ｄの第８の電流経路Ｒ８、第３の太陽電池モジュール１ｃの第６の電流経路Ｒ６、第２の太陽電池モジュール１ｂの第４の電流経路Ｒ４、及び第１の太陽電池モジュール１ａの第２の電流経路Ｒ２、がこの順に直列接続されている。
【０３１２】
パワーコンディショナー１６２の正端子１６２（＋）と第１の太陽電池モジュール１ａにおける第１の太陽電池素子３ａの正端子３ａ（＋）とが、接続配線１６３ａを介して互いに接続されている。パワーコンディショナー１６２の負端子１６２（−）と第１の太陽電池モジュール１ａにおける第４の太陽電池素子３ｄの負端子３ｄ（−）とが、接続配線１６３ｂを介して互いに接続されている。
【０３１３】
本実施形態のように８つの太陽電池モジュール１が２行４列に配置されていると、第１の実施形態に係る場合（３つの太陽電池モジュール１が１行３列に配置されている場合）に比べて、複数の接続配線を足し合わせた長さが長くなる。したがって、本実施形態においては、配線抵抗を小さくし、電力の損失を低減することができる効果の実益が大きい。また、接続配線のコストを低減できる、配線の接続作業が容易となる、製品コスト、製品サイズ、配線の接続作業性の面から好適である、といった効果についても実益が大きい。
【０３１４】
［第１１の実施形態］
以下、本発明の第１１の実施形態について、図１８を用いて説明する。
本実施形態の太陽光発電装置２５０の基本構成は第２の実施形態と同一であり、太陽電池モジュールの接続構成が第２の実施形態と異なる。
図１８は、第１１の実施形態に係る太陽光発電装置２５０の概略構成を示す平面図である。なお、図１８においては、便宜上、フレームの図示を省略している。図１８において、第２の実施形態で用いた図と共通の構成要素には同一の符号を付し、詳細な説明を省略する。
【０３１５】
図１８に示すように、太陽光発電装置２５０は、太陽電池モジュール接合体２６０と、パワーコンディショナー２６２と、を備えている。
【０３１６】
本実施形態においては、第１の太陽電池モジュール１ａ、第２の太陽電池モジュール１ｂ、第３の太陽電池モジュール１ｃ、がパワーコンディショナー２６２の側からこの順に配置されている。また、第４の太陽電池モジュール１ｄ、第５の太陽電池モジュール１ｅ、第６の太陽電池モジュール１ｆ、が第１の太陽電池モジュール１ａ、第２の太陽電池モジュール１ｂ、第３の太陽電池モジュール１ｃに対して並列に、パワーコンディショナー２６２の側からこの順に配置されている。
【０３１７】
このように本実施形態では、２行３列に配置された６つの太陽電池モジュール１の１行目（上段）の３つの太陽電池モジュール１と２行目（下段）の３つの太陽電池モジュール１とが並列接続されている。なお、１行目と２行目とにおける３つの太陽電池モジュール１は互いに直列接続されている。以下、本実施形態の太陽電池モジュールの配置構成について詳細に説明する。
【０３１８】
先ず、下段の接続構成について説明する。
本実施形態においては、第１の太陽電池モジュール１ａにおける第３の太陽電池素子３ｃの負端子３ｃ（−）と第２の太陽電池素子３ｂの正端子３ｂ（＋）とが、接続配線２６１ａを介して互いに直列接続されている。第１の太陽電池モジュール１ａにおける第３の太陽電池素子３ｃと第２の太陽電池素子３ｂとにより第１の電流経路Ｒ１が構成されている。
【０３１９】
第１の太陽電池モジュール１ａにおける第１の太陽電池素子３ａの負端子３ｃ（−）と第４の太陽電池素子３ｄの正端子３ｄ（＋）とが、接続配線２６１ｂを介して互いに直列接続されている。第１の太陽電池モジュール１ａにおける第１の太陽電池素子３ａと第４の太陽電池素子３ｄとにより第２の電流経路Ｒ２が構成されている。
【０３２０】
第２の太陽電池モジュール１ｂにおける第４の太陽電池素子３ｄの負端子３ｄ（−）と第３の太陽電池素子３ｃの正端子３ｃ（＋）とが、接続配線２６１ｃを介して互いに直列接続されている。第２の太陽電池モジュール１ｂにおける第４の太陽電池素子３ｄと第３の太陽電池素子３ｃとにより第３の電流経路Ｒ３が構成されている。
【０３２１】
第２の太陽電池モジュール１ｂにおける第２の太陽電池素子３ｂの負端子３ｂ（−）と第１の太陽電池素子３ａの正端子３ａ（＋）とが、接続配線２６１ｄを介して互いに直列接続されている。第２の太陽電池素子３ｂと第１の太陽電池素子３ａとにより第４の電流経路Ｒ４が構成されている。
【０３２２】
第３の太陽電池モジュール１ｃにおける第３の太陽電池素子３ｃの負端子３ｃ（−）と第２の太陽電池素子３ｂの正端子３ｂ（＋）とが、接続配線２６１ｅを介して互いに直列接続されている。第３の太陽電池モジュール１ｃにおける第２の太陽電池素子３ｂの負端子３ｂ（−）と第１の太陽電池素子３ａの正端子３ａ（＋）とが、接続配線２６１ｆを介して互いに直列接続されている。第３の太陽電池モジュール１ｃにおける第１の太陽電池素子３ａの負端子３ｃ（−）と第４の太陽電池素子３ｄの正端子３ｄ（＋）とが、接続配線２６１ｇを介して互いに直列接続されている。第３の太陽電池モジュール１ｃにおける第３の太陽電池素子３ｃと第２の太陽電池素子３ｂと第１の太陽電池素子３ａと第４の太陽電池素子３ｄとにより第５の電流経路Ｒ５が構成されている。
【０３２３】
本実施形態では、第１の太陽電池モジュール１ａの第１の電流経路Ｒ１の終端と第２の太陽電池モジュール１ｂの第３の電流経路Ｒ３の始端とが接続配線２６１ｏを介して互いに直列接続されている。具体的には、第１の太陽電池モジュール１ａにおける第２の太陽電池素子３ｂの負端子３ｂ（−）と第２の太陽電池モジュール１ｂにおける第４の太陽電池素子３ｄの正端子３ｄ（＋）とが、接続配線２６１ｏを介して互いに直列接続されている。
【０３２４】
第１の太陽電池モジュール１ａの第２の電流経路Ｒ２の始端と第２の太陽電池モジュール１ｂの第４の電流経路Ｒ４の終端とが接続配線２６１ｐを介して互いに直列接続されている。具体的には、第１の太陽電池モジュール１ａにおける第１の太陽電池素子３ａの正端子３ａ（＋）と第２の太陽電池モジュール１ｂにおける第１の太陽電池素子３ａの負端子３ａ（−）とが、接続配線２６１ｐを介して互いに直列接続されている。
【０３２５】
第２の太陽電池モジュール１ｂの第３の電流経路Ｒ３の終端と第３の太陽電池モジュール１ｃの第５の電流経路Ｒ５の始端とが接続配線２６１ｑを介して互いに直列接続されている。具体的には、第２の太陽電池モジュール１ｂにおける第３の太陽電池素子３ｃの負端子３ｃ（−）と第３の太陽電池モジュール１ｃにおける第３の太陽電池素子３ｃの正端子３ｃ（＋）とが、接続配線２６１ｑを介して互いに直列接続されている。
【０３２６】
第２の太陽電池モジュール１ｂの第４の電流経路Ｒ４の始端と第３の太陽電池モジュール１ｃの第５の電流経路Ｒ５の終端とが接続配線２６１ｒを介して互いに直列接続されている。具体的には、第２の太陽電池モジュール１ｂにおける第２の太陽電池素子３ｂの正端子３ｂ（＋）と第３の太陽電池モジュール１ｃにおける第４の太陽電池素子３ｄの負端子３ｄ（−）とが、接続配線２６１ｒを介して互いに直列接続されている。
【０３２７】
このように本実施形態の太陽電池モジュール接合体２６０においては、下段の接続構成を見ると、第１の太陽電池モジュール１ａの第１の電流経路Ｒ１、第２の太陽電池モジュール１ｂの第３の電流経路Ｒ３、第３の太陽電池モジュール１ｃの第５の電流経路Ｒ５、第２の太陽電池モジュール１ｂの第４の電流経路Ｒ４、及び第１の太陽電池モジュール１ａの第２の電流経路Ｒ２、がこの順に直列接続されている。
【０３２８】
次に、上段の接続構成について説明する。
第４の太陽電池モジュール１ｄにおける第１の太陽電池素子３ａの負端子３ｃ（−）と第２の太陽電池素子３ｂの正端子３ｂ（＋）とが、接続配線２６１ｈを介して互いに直列接続されている。第４の太陽電池モジュール１ｄにおける第１の太陽電池素子３ａと第２の太陽電池素子３ｂとにより第６の電流経路Ｒ６が構成されている。
【０３２９】
第４の太陽電池モジュール１ｄにおける第３の太陽電池素子３ｃの負端子３ｃ（−）と第４の太陽電池素子３ｄの正端子３ｄ（＋）とが、接続配線２６ｉｇを介して互いに直列接続されている。第４の太陽電池モジュール１ｄにおける第３の太陽電池素子３ｃと第４の太陽電池素子３ｄとにより第７の電流経路Ｒ７が構成されている。
【０３３０】
第５の太陽電池モジュール１ｅにおける第４の太陽電池素子３ｄの負端子３ｄ（−）と第１の太陽電池素子３ａの正端子３ａ（＋）とが、接続配線２６１ｊを介して互いに直列接続されている。第５の太陽電池モジュール１ｅにおける第４の太陽電池素子３ｄと第１の太陽電池素子３ａとにより第８の電流経路Ｒ８が構成されている。
【０３３１】
第５の太陽電池モジュール１ｅにおける第２の太陽電池素子３ｂの負端子３ｂ（−）と第３の太陽電池素子３ｃの正端子３ｃ（＋）とが、接続配線２６１ｋを介して互いに直列接続されている。第５の太陽電池モジュール１ｅにおける第２の太陽電池素子３ｂと第３の太陽電池素子３ｃとにより第９の電流経路Ｒ９が構成されている。
【０３３２】
第６の太陽電池モジュール１ｆにおける第１の太陽電池素子３ａの負端子３ａ（−）と第２の太陽電池素子３ｂの正端子３ｂ（＋）とが、接続配線２６１ｌを介して互いに直列接続されている。第６の太陽電池モジュール１ｆにおける第２の太陽電池素子３ｂの負端子３ｂ（−）と第３の太陽電池素子３ｃの正端子３ｃ（＋）とが、接続配線２６１ｍを介して互いに直列接続されている。第６の太陽電池モジュール１ｆにおける第３の太陽電池素子３ｃの負端子３ｃ（−）と第４の太陽電池素子３ｄの正端子３ｄ（＋）とが、接続配線２６１ｎを介して互いに直列接続されている。第６の太陽電池モジュール１ｆにおける第１の太陽電池素子３ａと第２の太陽電池素子３ｂと第３の太陽電池素子３ｃと第４の太陽電池素子３ｄとにより第１０の電流経路Ｒ１０が構成されている。
【０３３３】
第４の太陽電池モジュール１ｄの第６の電流経路Ｒ６の終端と第５の太陽電池モジュール１ｅの第８の電流経路Ｒ８の始端とが接続配線２６１ｕを介して互いに直列接続されている。具体的には、第４の太陽電池モジュール１ｄにおける第２の太陽電池素子３ｂの負端子３ｂ（−）と第５の太陽電池モジュール１ｅにおける第４の太陽電池素子３ｄの正端子３ｄ（＋）とが、接続配線２６１ｕを介して互いに直列接続されている。
【０３３４】
第４の太陽電池モジュール１ｄの第７の電流経路Ｒ７の始端と第５の太陽電池モジュール１ｅの第９の電流経路Ｒ９の終端とが接続配線２６１ｖを介して互いに直列接続されている。具体的には、第４の太陽電池モジュール１ｄにおける第３の太陽電池素子３ｃの正端子３ｃ（＋）と第５の太陽電池モジュール１ｅにおける第３の太陽電池素子３ｃの負端子３ｃ（−）とが、接続配線２６１ｖを介して互いに直列接続されている。
【０３３５】
第５の太陽電池モジュール１ｅの第８の電流経路Ｒ８の終端と第６の太陽電池モジュール１ｆの第１０の電流経路Ｒ１０の始端とが接続配線２６１ｗを介して互いに直列接続されている。具体的には、第５の太陽電池モジュール１ｅにおける第１の太陽電池素子３ａの負端子３ａ（−）と第６の太陽電池モジュール１ｆにおける第１の太陽電池素子３ａの正端子３ａ（＋）とが、接続配線２６１ｗを介して互いに直列接続されている。
【０３３６】
第５の太陽電池モジュール１ｅの第９の電流経路Ｒ９の始端と第６の太陽電池モジュール１ｆの第１０の電流経路Ｒ１０の終端とが接続配線２６１ｘを介して互いに直列接続されている。具体的には、第５の太陽電池モジュール１ｅにおける第２の太陽電池素子３ｂの正端子３ｂ（＋）と第６の太陽電池モジュール１ｆにおける第４の太陽電池素子３ｄの負端子３ｄ（−）とが、接続配線２６１ｘを介して互いに直列接続されている。
【０３３７】
このように本実施形態の太陽電池モジュール接合体２６０においては、上段の接続構成を見ると、第４の太陽電池モジュール１ｄの第６の電流経路Ｒ６、第５の太陽電池モジュール１ｅの第８の電流経路Ｒ８、第６の太陽電池モジュール１ｆの第１０の電流経路Ｒ１０、第５の太陽電池モジュール１ｅの第９の電流経路Ｒ９、第４の太陽電池モジュール１ｄの第７の電流経路Ｒ７、がこの順に直列接続されている。
【０３３８】
次に、上段の太陽電池モジュールと下段の太陽電池モジュールとの接続構成について説明する。
【０３３９】
本実施形態では、第１の太陽電池モジュール１ａの第１の電流経路Ｒ１の始端と第４の太陽電池モジュール１ｄの第６の電流経路Ｒ６の始端とが接続配線２６１ｓを介して互いに並列接続されている。具体的には、第１の太陽電池モジュール１ａにおける第３の太陽電池素子３ｃの正端子３ｃ（＋）と第４の太陽電池モジュール１ｄにおける第１の太陽電池素子３ａの正端子３ａ（＋）とが、接続配線２６１ｓを介して互いに並列接続されている。
【０３４０】
第１の太陽電池モジュール１ａの第２の電流経路Ｒ２の終端と第４の太陽電池モジュール１ｄの第７の電流経路Ｒ７の終端とが接続配線２６１ｔを介して互いに並列接続されている。具体的には、第１の太陽電池モジュール１ａにおける第４の太陽電池素子３ｄの負端子３ｄ（−）と第４の太陽電池モジュール１ｄにおける第４の太陽電池素子３ｄの負端子３ｄ（−）とが、接続配線２６１ｔを介して互いに並列接続されている。
【０３４１】
パワーコンディショナー２６２の正端子２６２（＋）と第１の太陽電池モジュール１ａにおける第３の太陽電池素子３ｃの正端子３ｃ（＋）とが、接続配線２６３ａを介して互いに接続されている。パワーコンディショナー２６２の負端子２６２（−）と第１の太陽電池モジュール１ａにおける第４の太陽電池素子３ｄの負端子３ｄ（−）とが、接続配線２６３ｂを介して互いに接続されている。
【０３４２】
本実施形態のように２行３列に配置された６つの太陽電池モジュール１の１行目（上段）の３つの太陽電池モジュール１と２行目（下段）の３つの太陽電池モジュール１とが並列接続された構成であっても、第１の実施形態に係る場合（３つの太陽電池モジュール１が１行３列に配置されている場合）に比べて、複数の接続配線を足し合わせた長さが長くなる。したがって、本実施形態においては、配線抵抗を小さくし、電力の損失を低減することができる効果の実益が大きい。また、接続配線のコストを低減できる、配線の接続作業が容易となる、製品コスト、製品サイズ、配線の接続作業性の面から好適である、といった効果についても実益が大きい。
【０３４３】
［第１２の実施形態］
以下、本発明の第１２の実施形態について、図１９を用いて説明する。
本実施形態の太陽光発電装置９５０の基本構成は第９の実施形態と同一であり、太陽電池モジュールにおける太陽電池素子の配置構成が第９の実施形態と異なる。
図１９は、第１２の実施形態に係る太陽光発電装置９５０の概略構成を示す平面図である。図１９において、第９の実施形態で用いた図と共通の構成要素には同一の符号を付し、詳細な説明を省略する。
【０３４４】
図１９に示すように、太陽光発電装置９５０は、太陽電池モジュール接合体９６０と、パワーコンディショナー９６２と、を備えている。
【０３４５】
本実施形態においては、一例として、１つの太陽電池モジュール９５１において太陽電池素子９５３が６行４列に配置されている例を挙げて説明する。なお、図１９においては、便宜上、１行１列目に配置されている太陽電池素子を符号９５３（１−１）で示している。これ以外の太陽電池素子については、便宜上、ｍ行ｎ列目に配置されている太陽電池素子を符号（ｍ−ｎ）で示している。例えば、３行３列目に配置されている太陽電池素子を符号（３−３）で示している。また、太陽電池素子９５３の正端子については、便宜上、符号（＋）で示している。負端子については、便宜上、符号（−）で示している。
【０３４６】
本実施形態の太陽電池モジュール接合体９６０は、第１の太陽電池モジュール９５１ａ及び第２の太陽電池モジュール９５１ｂがパワーコンディショナー９６２の側からこの順に配置されている。
【０３４７】
本実施形態では、一例として、一つの太陽電池モジュール９５１につき２４個の太陽電池素子９５３が支持板９５２の上面に配置されている例を挙げて説明する。
【０３４８】
本実施形態においては、第１の太陽電池モジュール９５１ａにおける４行１列目の太陽電池素子（４−１）の負端子（−）と４行２列目の太陽電池素子（４−２）の正端子（＋）とが、接続配線９６１ａ１を介して互いに直列接続されている。同様に、太陽電池素子（４−２）〜（６−４）についても、隣接する太陽電池素子どうしのそれぞれの負端子（−）と正端子（＋）とが、接続配線９６１ａ２〜９６１ａ１１をそれぞれ介して互いに直列接続されている。第１の太陽電池モジュール９５１ａにおける太陽電池素子（４−１）〜（６−４）により第１の電流経路Ｒ１が構成されている。
【０３４９】
第１の太陽電池モジュール９５１ａにおける１行４列目の太陽電池素子（１−４）の負端子（−）と１行３列目の太陽電池素子（１−３）の正端子（＋）とが、接続配線９６１ｂ１を介して互いに直列接続されている。同様に、太陽電池素子（１−３）〜（３−１）についても、隣接する太陽電池素子どうしのそれぞれの負端子（−）と正端子（＋）とが、接続配線９６１ｂ２〜９６１ｂ１１をそれぞれ介して互いに直列接続されている。第１の太陽電池モジュール９５１ａにおける太陽電池素子（１−４）〜（３−１）により第２の電流経路Ｒ２が構成されている。
【０３５０】
第２の太陽電池モジュール９５１ｂにおける６行１列目の太陽電池素子（６−１）の負端子（−）と６行２列目の太陽電池素子（６−２）の正端子（＋）とが、接続配線９６１ｃ１を介して互いに直列接続されている。同様に、太陽電池素子（６−２）〜（１−１）についても、隣接する太陽電池素子どうしのそれぞれの負端子（−）と正端子（＋）とが、接続配線９６１ｃ２〜９６１ｃ２３をそれぞれ介して互いに直列接続されている。第２の太陽電池モジュール９５１ｂにおける太陽電池素子（６−１）〜（１−１）により第３の電流経路Ｒ３が構成されている。
【０３５１】
本実施形態では、第１の太陽電池モジュール９５１ａの第１の電流経路Ｒ１の終端と第２の太陽電池モジュール９５１ｂの第３の電流経路Ｒ３の始端とが接続配線９６１ｄを介して互いに直列接続されている。具体的には、第１の太陽電池モジュール９５１ａにおける６行４列目の太陽電池素子（６−４）の負端子（−）と第２の太陽電池モジュール９５１ｂにおける６行１列目の太陽電池素子（６−１）の正端子（＋）とが、接続配線９６１ｄを介して互いに直列接続されている。
【０３５２】
第１の太陽電池モジュール９５１ａの第２の電流経路Ｒ２の始端と第２の太陽電池モジュール９５１ｂの第３の電流経路Ｒ３の終端とが接続配線９６１ｅを介して互いに直列接続されている。具体的には、第１の太陽電池モジュール９５１ａにおける１行４列目の太陽電池素子（１−４）の正端子（＋）と第２の太陽電池モジュール９５１ｂにおける１行１列目の太陽電池素子（１−１）の負端子（−）とが、接続配線９６１ｅを介して互いに直列接続されている。
【０３５３】
このように本実施形態の太陽電池モジュール接合体９５０においては、第１の太陽電池モジュール９５１ａの第１の電流経路Ｒ１、第２の太陽電池モジュール９５１ｂの第３の電流経路Ｒ３、及び第１の太陽電池モジュール９５１ａの第２の電流経路Ｒ２、がこの順に直列接続されている。
【０３５４】
パワーコンディショナー９６２の正端子９６２（＋）と第１の太陽電池モジュール９５１ａにおける４行１列目の太陽電池素子（４−１）の正端子（＋）とが、接続配線９６３ａを介して互いに接続されている。パワーコンディショナー９６２の負端子９６２（−）と第１の太陽電池モジュール９５１ａにおける３行１列目の太陽電池素子（３−１）の負端子（−）とが、接続配線９６３ｂを介して互いに接続されている。
【０３５５】
本実施形態のように１つの太陽電池モジュール９５１につき太陽電池素子９５３が６行４列に配置されていると、第９の実施形態に係る場合（１つの太陽電池モジュール９０１につき太陽電池素子９０３が２行２列に配置されている場合）に比べて、複数の接続配線を足し合わせた長さが長くなる。したがって、本実施形態においては、配線抵抗を小さくし、電力の損失を低減することができる効果の実益が大きい。また、接続配線のコストを低減できる、配線の接続作業が容易となる、製品コスト、製品サイズ、配線の接続作業性の面から好適である、といった効果についても実益が大きい。
【０３５６】
なお、前記実施形態では、太陽電池モジュールの配置構成の例として、３つの太陽電池モジュールが１行３列に配置されている例、６つの太陽電池モジュールが２行３列に配置されている例、８つの太陽電池モジュールが２行４列に配置されている例を挙げて説明したが、これらに限らない。例えば、９つの太陽電池モジュールが３行３列に配置されていてもよい。太陽電池モジュールの配置構成としては、種々の配置構成を適用することができる。
【０３５７】
また、前記実施形態では、太陽電池モジュールの中で太陽電池素子の端子極性が反転している例として、３つの太陽電池モジュールのうち第２の太陽電池モジュールの中での太陽電池素子の端子極性が反転している例を挙げて説明したが、これに限らない。例えば、第２の太陽電池モジュール及び第３の太陽電池モジュールにおける太陽電池素子の端子極性が反転していてもよい。太陽電池モジュールの中で太陽電池素子の端子極性が反転している構成については、種々の構成を採用することができる。
【０３５８】
また、前記実施形態では、集光板の平面形状の例として、四角形である例、三角形である例を挙げて説明したが、これらに限らない。例えば、集光板の平面形状が五角形以上の多角形である等、その他の平面形状であってもよい。
【０３５９】
また、前記実施形態では、平面形状が異なる種類の集光板を用いた例として、平面形状が四角形である集光板と、平面形状が三角形である集光板とを用いた例を挙げて説明したが、これに限らない。例えば、平面形状が四角形である集光板と、平面形状が五角形以上の多角形である集光板とを用いる等、その他の組合せであってもよい。
【０３６０】
また、前記実施形態では、太陽電池素子の設置場所の例として、太陽電池素子が集光板の第１の主面に設けられた例を挙げて説明したが、これに限らない。例えば、太陽電池素子が集光板の第１の主面とは反対側の第２の主面に設けられていてもよい。
【０３６１】
また、前記実施形態では、太陽電池モジュールに集光板が設けられていない構成の例として、一つの太陽電池モジュールにつき４つの太陽電池素子が支持板の上面に配置されている例、一つの太陽電池モジュールにつき２４個の太陽電池素子が支持板の上面に配置されている例を挙げて説明したが、これに限らない。例えば、太陽電池モジュールに支持板が設けられていなくてもよい。複数の太陽電池素子が太陽電池モジュール（太陽光発電装置）の設置面に直接配置されていてもよい。
【０３６２】
また、前記実施形態では、複数の太陽電池モジュールの全てに集光板が設けられている例（第１の太陽電池モジュールが第１の集光板を備え、かつ、第２の太陽電池モジュールが第２の集光板を備えた構成）、複数の太陽電池モジュールの全てに集光板が設けられていない例を挙げて説明したが、これに限らない。例えば、第１の太陽電池モジュールが第１の集光板を備え、かつ、第２の太陽電池モジュールが第２の集光板を備えていない構成であってもよい。
【０３６３】
また、前記実施形態では、太陽電池素子の構成の例として、第１の集電電極（複数のフィンガー電極とバスバー電極）が半導体基板の表面側に形成されている例を挙げて説明したが、これに限らない。例えば、第１の集電電極（複数のフィンガー電極とバスバー電極）が半導体基板の裏面側に形成されている、いわゆるバックコンタクト型の太陽電池素子であってもよい。
【０３６４】
以上、図面を参照しながら本発明に係る好適な実施形態について説明したが、本発明は上記の実施形態に限定されないことは言うまでもない。上記の実施形態において示した各構成部材の諸形状や組み合わせ等は一例であって、本発明の主旨から逸脱しない範囲において設計要求等に基づき種々変更可能である。
その他、太陽電池モジュールの各構成要素の形状、数、配置、材料、形成方法等に関する具体的な記載は、上記の実施形態に限定されることなく、適宜変更が可能である。
【産業上の利用可能性】
【０３６５】
本発明は、太陽電池モジュール、太陽電池モジュール接合体及び太陽光発電装置に利用可能である。
【符号の説明】
【０３６６】
１，４０１，６０１，８０１，９０１，９５１…太陽電池モジュール、１ａ，３０１ａ，４０１ａ，５０１ａ，６０１ａ，７０１ａ，８０１ａ，９０１ａ，９５１ａ…第１の太陽電池モジュール、１ｂ，３０１ｂ，４０１ｂ，５０１ｂ，６０１ｂ，７０１ｂ，８０１ｂ，９０１ｂ，９５１ｂ…第２の太陽電池モジュール、１ｃ，３０１ｃ，４０１ｃ，５０１ｃ，６０１ｃ，７０１ｃ，８０１ｃ…第３の太陽電池モジュール、１ｄ…第４の太陽電池モジュール、１ｅ…第５の太陽電池モジュール、１ｆ…第６の太陽電池モジュール、１ｇ…第７の太陽電池モジュール、１ｆ…第８の太陽電池モジュール、２，４０２…集光板、２ａ…第１の端面、２ｂ…第２の端面、２ｃ…第３の端面、２ｄ…第４の端面、２ｓ…第１の主面、２ｆ…第２の主面、３，８０３，９０３，９５３…太陽電池素子、３ａ，４０３ａ，６０３ａ，８０３ａ，９０３ａ…第１の太陽電池素子、３ｂ，４０３ｂ，８０３ｂ，９０３ｂ…第２の太陽電池素子、３ｃ，４０３ｃ，６０３ｃ，８０３ｃ，９０３ｃ…第３の太陽電池素子、３ｄ，６０３ｄ，８０３ｄ，９０３ｄ…第４の太陽電池素子、３ａ（＋），６０３ａ（＋），８０３ａ（＋），９０３ａ（＋）…正端子、３ａ（−），６０３ａ（−），８０３ａ（−），９０３ａ（−）…負端子，１０，２１０，３１０，４１０，５１０，６１０，７１０，８１０，９１０，１６０，２６０，９６０…太陽電池モジュール接合体、１１ａ，１１ｂ，１１ｃ，１１ｄ，１１ｅ，１１ｆ，１１ｇ，１１ｈ，１１ｉ，１１ｊ，１１ｋ，２１１ａ，２１１ｂ，２１１ｃ，２１１ｄ，２１１ｅ，２１１ｆ，２１１ｇ，２１１ｈ，２１１ｉ，２１１ｊ，２１１ｋ，２１１ｌ，２１１ｍ，２１１ｎ，２１１ｏ，２１１ｐ，２１１ｑ，２１１ｒ，２１１ｓ，２１１ｔ，２１１ｕ，２１１ｖ，２１１ｗ，２１１ｘ，３１１ａ，３１１ｂ，３１１ｃ，３１１ｄ，３１１ｅ，３１１ｆ，３１１ｇ，３１１ｈ，３１１ｉ，３１１ｊ，３１１ｋ，４１１ａ，４１１ｂ，４１１ｃ，４１１ｄ，４１１ｅ，４１１ｆ，４１１ｇ，４１１ｈ，５１１ａ，５１１ｂ，５１１ｃ，５１１ｄ，５１１ｅ，５１１ｆ，５１１ｇ，５１１ｈ，５１１ｉ，５１１ｊ，６１１ａ，６１１ｂ，６１１ｃ，６１１ｄ，６１１ｅ，６１１ｆ，６１１ｇ，６１１ｈ，７１１ａ，７１１ｂ，７１１ｃ，７１１ｄ，７１１ｅ，７１１ｆ，７１１ｇ，７１１ｈ，８１１ａ，８１１ｂ，８１１ｃ，８１１ｄ，８１１ｅ，８１１ｆ，８１１ｇ，８１１ｈ，８１１ｉ，８１１ｊ，８１１ｋ，９１１ａ，９１１ｂ，９１１ｃ，９１１ｄ，９１１ｅ，９１１ｆ，９１１ｇ，１６１ａ１，１６１ａ２，１６１ｂ１，１６１ｂ２，１６１ｃ１，１６１ｃ２，１６１ｄ１，１６１ｄ２，１６１ｅ１，１６１ｅ２，１６１ｆ１，１６１ｆ２，１６１ｇ１，１６１ｇ２，１６１ｈ１，１６１ｈ２，１６１ｈ３，２６１ａ，２６１ｂ，２６１ｃ，２６１ｄ，２６１ｅ，２６１ｆ，２６１ｇ，２６１ｈ，２６１ｉ，２６１ｊ，２６１ｋ，２６１ｌ，２６１ｍ，２６１ｎ，２６１ｏ，２６１ｐ，２６１ｑ，２６１ｒ，２６１ｓ，２６１ｔ，２６１ｕ，２６１ｖ，９６１ａ１，９６１ａ２，９６１ａ３，９６１ａ４，９６１ａ５，９６１ａ６，９６１ａ７，９６１ａ８，９６１ａ９，９６１ａ１０，９６１ａ１１，９６１ｂ１，９６１ｂ２，９６１ｂ３，９６１ｂ４，９６１ｂ５，９６１ｂ６，９６１ｂ７，９６１ｂ８，９６１ｂ９，９６１ｂ１０，９６１ｂ１１，９６１ｃ１，９６１ｃ２，９６１ｃ３，９６１ｃ４，９６１ｃ５，９６１ｃ６，９６１ｃ７，９６１ｃ８，９６１ｃ９，９６１ｃ１０，９６１ｃ１１，９６１ｃ１２，９６１ｃ１３，９６１ｃ１４，９６１ｃ１５，９６１ｃ１６，９６１ｃ１７，９６１ｃ１８，９６１ｃ１９，９６１ｃ２０，９６１ｃ２１，９６１ｃ２２，９６１ｃ２３，９６１ｄ，９６１ｅ…接続配線、１２，２１２，３１２，４１２，５１２，６１２，７１２，８１２，９１２，１６２，２６２，９６２…パワーコンディショナー、１００，２００，３００，４００，５００，６００，７００，８００，９００，１５０，２５０，９５０…太陽光発電装置、６０３ｂ…反射ミラー、Ｒ１…第１の電流経路、Ｒ２…第２の電流経路、Ｒ３…第３の電流経路、Ｒ４…第４の電流経路、Ｒ５…第５の電流経路、Ｒ６…第６の電流経路、Ｒ７…第７の電流経
路、Ｒ８…第８の電流経路、Ｒ９…第９の電流経路、Ｒ１０…第１０の電流経路、Ｒ１１…第１１の電流経路、Ｒ１２…第１２の電流経路、Ｒ１３…第１３の電流経路、Ｒ１４…第１４の電流経路、Ｒ１５…第１５の電流経路、Ｌ…外光
【図１】
2014024816.tif 000003
【図２】
2014024816.tif 000004
【図３】
2014024816.tif 000005
【図４】
2014024816.tif 000006
【図５】
2014024816.tif 000007
【図６】
2014024816.tif 000008
【図７】
2014024816.tif 000009
【図８】
2014024816.tif 000010
【図９】
2014024816.tif 000011
【図１０】
2014024816.tif 000012
【図１１】
2014024816.tif 000013
【図１２】
2014024816.tif 000014
【図１３】
2014024816.tif 000015
【図１４】
2014024816.tif 000016
【図１５】
2014024816.tif 000017
【図１６】
2014024816.tif 000018
【図１７】
2014024816.tif 000019
【図１８】
2014024816.tif 000020
【図１９】
2014024816.tif 000021
【国際調査報告】
2014024816.tif 000022
2014024816.tif 000023